(57)【要約】  ユーザが、録画された番組の中から所望の番組を相対的に少ない手間で選択して再生できる録画再生装置を提供する。録画再生装置が備えるユーザインターフェース生成部は、録画された複数の番組の中からユーザが所望の番組を選択するための複数の選択画面を生成する。それら選択画面の各々には、それぞれが互いに異なる分類方法で分類された複数の番組情報が配列されて表示される。ユーザインターフェース生成部は、番組が再生されているときに所定のユーザコマンドが受信された場合は、ユーザが番組情報を選択するための画像であって再生中の番組の映像の周囲に表示されるユーザインターフェース画像を生成する。ユーザインターフェース画像には、再生中の番組が選択されたときに用いられた選択画面の分類方法に準ずる分類方法を用いて分類された番組情報または分類種別を示す領域が表示される。
2016157860.tif 000002
【特許請求の範囲】
【請求項１】
ユーザコマンドを受け付けるユーザ入力部と、
複数の番組および前記番組の番組情報を受信する受信部と、
受信された複数の前記番組および前記番組情報を記録媒体に録画する録画部と、
録画された前記番組を再生する再生部と、
録画された複数の前記番組の中からユーザが所望の番組を選択するための複数の選択画面を生成するユーザインターフェース生成部と、
前記再生部および前記ユーザインターフェース生成部を制御する制御部と、
を備え、
前記ユーザインターフェース生成部が生成する前記選択画面の各々は、それぞれが互いに異なる分類方法で分類された複数の前記番組情報を配列して表示し、
前記再生部は、１つの前記選択画面上で１つの前記番組情報が選択されたときに、選択された前記番組情報に関連する前記番組を再生し、
前記制御部は、前記再生部が前記番組を再生しているときに前記ユーザ入力部が所定の前記ユーザコマンドを受信した場合は、前記ユーザが前記番組情報を選択するための画像であって再生中の前記番組の映像の周囲に表示されるユーザインターフェース画像を生成するように、前記ユーザインターフェース生成部を制御し、
前記ユーザインターフェース画像は、再生中の前記番組が選択されたときに用いられた前記選択画面の分類方法に準ずる分類方法を用いて分類された前記番組情報または分類種別を示す領域を有する、
録画再生装置。
【請求項２】
前記ユーザインターフェース画像は、再生中の番組の映像の周囲に表示される前記番組を示す領域が、前記選択画面で前記再生中の番組の番組情報に隣接して配列された番組情報に対応する、
請求項１に記載の録画再生装置。
【請求項３】
前記制御部は、再生中の前記番組の映像の周囲に表示されるユーザインターフェース画像を選択するユーザコマンドを受信した場合、選択された番組情報または分類種別を示す領域に属する録画された番組を、再生中の前記番組の映像に代えて表示する、
請求項１に記載の録画再生装置。
【請求項４】
録画再生装置における番組情報の表示方法であって、
ユーザコマンドを受け付けるステップと、
複数の番組および前記番組の番組情報を受信するステップと、
受信された複数の前記番組および前記番組情報を記録媒体に録画するステップと、
録画された複数の前記番組の中からユーザが所望の番組を選択するための画面であって、それぞれが互いに異なる分類方法で分類された複数の前記番組情報が配列されて表示される複数の選択画面のうちの１つが生成されるステップと、
１つの前記選択画面上で１つの前記番組情報が選択されたときに、選択された前記番組情報に関連する前記番組が再生されるステップと、
前記番組が再生されているときに所定の前記ユーザコマンドが受信された場合に、前記ユーザが前記番組情報を選択するための画像であって再生中の前記番組の映像の周囲に表示されるユーザインターフェース画像が生成されるステップと、を備え、
前記ユーザインターフェース画像は、再生中の前記番組が選択されたときに用いられた前記選択画面の分類方法に準ずる分類方法を用いて分類された前記番組情報または分類種別を示す領域を有する、
番組情報の表示方法。
【発明の詳細な説明】
【技術分野】
【０００１】
本開示は、放送番組を録画して再生する録画再生装置および番組情報の表示方法に関する。
【背景技術】
【０００２】
放送番組を録画して再生する録画再生装置において、記憶装置が大容量化された録画再生装置は、非常に多くの番組を録画することができる。例えば特許文献１に開示されている録画再生装置は、複数のチューナを備え、複数のチャンネルを同時に受信することができ、１つ以上のチャンネルの番組を録画し続けることが可能である。以下、このような機能を「チャンネル録画」という。
【先行技術文献】
【特許文献】
【０００３】
【特許文献１】日本国特許第４８４３７０３号公報
【発明の概要】
【０００４】
録画再生装置に録画されている番組の数が多くなるほど、ユーザが、録画された番組の中から所望の番組を選択するための手間は大きくなる。
【０００５】
本開示は、録画された番組の中から所望の番組を相対的に少ない手間で選択して再生することができる録画再生装置および番組情報表示方法を提供する。
【０００６】
本開示における録画再生装置は、ユーザ入力部と、受信部と、録画部と、再生部と、ユーザインターフェース生成部と、制御部と、を備える。ユーザ入力部は、ユーザコマンドを受け付ける。受信部は、複数の番組およびそれらの番組の番組情報を受信する。録画部は、受信された複数の番組および番組情報を記録媒体に録画する。再生部は、録画された番組を再生する。ユーザインターフェース生成部は、録画された複数の番組の中からユーザが所望の番組を選択するための複数の選択画面を生成する。制御部は、再生部およびユーザインターフェース生成部を制御する。ユーザインターフェース生成部が生成する選択画面の各々は、それぞれが互いに異なる分類方法で分類された複数の番組情報を配列して表示する。再生部は、１つの選択画面上で１つの番組情報が選択されたときに、選択された番組情報に関連する番組を再生する。制御部は、再生部が番組を再生しているときにユーザ入力部が所定のユーザコマンドを受信した場合は、ユーザが番組情報を選択するための画像であって再生中の番組の映像の周囲に表示されるユーザインターフェース画像を生成するように、ユーザインターフェース生成部を制御する。ユーザインターフェース画像は、再生中の番組が選択されたときに用いられた選択画面の分類方法に準ずる分類方法を用いて分類された番組情報または分類種別を示す領域を有する。
【０００７】
本開示における番組情報の表示方法は、録画再生装置における番組情報の表示方法であって、ユーザコマンドを受け付けるステップと、複数の番組およびそれらの番組の番組情報を受信するステップと、受信された複数の番組および番組情報を記録媒体に録画するステップと、録画された複数の番組の中からユーザが所望の番組を選択するための画面であって、それぞれが互いに異なる分類方法で分類された複数の番組情報が配列されて表示される複数の選択画面のうちの１つが生成されるステップと、１つの選択画面上で１つの番組情報が選択されたときに、選択された番組情報に関連する番組が再生されるステップと、番組が再生されているときに所定のユーザコマンドが受信された場合に、ユーザが番組情報を選択するための画像であって再生中の番組の映像の周囲に表示されるユーザインターフェース画像が生成されるステップと、を備え、ユーザインターフェース画像は、再生中の番組が選択されたときに用いられた選択画面の分類方法に準ずる分類方法を用いて分類された番組情報またはその分類種別を示す領域を有する。
【０００８】
本開示における録画再生装置および番組情報の表示方法は、録画された番組の中からユーザが所望の番組を相対的に少ない手間で選択して再生することができる。
【図面の簡単な説明】
【０００９】
【図１】図１は、実施の形態１における録画再生装置を含むテレビジョンシステムの一構成例を模式的に示すブロック図である。
【図２】図２は、実施の形態１におけるリモートコントローラの上面図である。
【図３】図３は、実施の形態１におけるリモートコントローラの側面図である。
【図４】図４は、実施の形態１における録画再生装置が録画された番組を再生していない状態において、リモートコントローラのチャンネル録画一覧キーが押下されたときに、ディスプレイに表示されるチャンネル録画一覧の第１の番組選択メニューの画面の一例を模式的に示す図である。
【図５】図５は、実施の形態１における録画再生装置が図４に示すチャンネル録画一覧の第１の番組選択メニューで選択された番組を再生しているときに、ディスプレイに表示される画面の一例を模式的に示す図である。
【図６】図６は、実施の形態１における録画再生装置が図４に示すチャンネル録画一覧の第１の番組選択メニューで選択された番組を再生している状態において、リモートコントローラの再生メニューキーが押下されたときに、ディスプレイに表示される画面の一例を模式的に示す図である。
【図７】図７は、実施の形態１における録画再生装置において、図６に示す画面が表示された後でリモートコントローラの上キーが押下されたときに、ディスプレイに表示される画面の一例を模式的に示す図である。
【図８】図８は、実施の形態１における録画再生装置において、図６に示す画面が表示された後でリモートコントローラの左キーが押下されたときに、ディスプレイに表示される画面の一例を模式的に示す図である。
【図９】図９は、実施の形態１における録画再生装置が録画された番組を再生していない状態において、リモートコントローラの通常録画一覧キーが押下されたときに、ディスプレイに表示される通常録画一覧の第１の番組選択メニューの画面の一例を模式的に示す図である。
【図１０】図１０は、実施の形態１における録画再生装置が図９に示す通常録画一覧の第１の番組選択メニューで選択された番組を再生しているときに、ディスプレイに表示される画面の一例を模式的に示す図である。
【図１１】図１１は、実施の形態１における録画再生装置が図９に示す通常録画一覧の第１の番組選択メニューで選択された番組を再生している状態において、リモートコントローラの再生メニューキーが押下されたときに、ディスプレイに表示される画面の一例を模式的に示す図である。
【図１２】図１２は、実施の形態１における録画再生装置において、図１１に示す画面が表示された後でリモートコントローラの上キーが押下されたときに、ディスプレイに表示される画面の一例を模式的に示す図である。
【図１３】図１３は、実施の形態１における録画再生装置において、図１１に示す画面が表示された後でリモートコントローラの左キーが押下されたときに、ディスプレイに表示される画面の一例を模式的に示す図である。
【図１４】図１４は、実施の形態１における録画再生装置が録画された番組を再生していない状態において、リモートコントローラのカテゴリ一覧キーが押下されたときに、ディスプレイに表示されるカテゴリ一覧の第１の番組選択メニューの１ページ目の画面の一例を模式的に示す図である。
【図１５】図１５は、実施の形態１における録画再生装置が録画された番組を再生していない状態において、リモートコントローラのカテゴリ一覧キーが押下されたときに、ディスプレイに表示されるカテゴリ一覧の第１の番組選択メニューの２ページ目の画面の一例を模式的に示す図である。
【図１６】図１６は、実施の形態１における録画再生装置が録画された番組を再生していない状態において、リモートコントローラのカテゴリ一覧キーが押下されたときに、ディスプレイに表示されるカテゴリ一覧の第１の番組選択メニューの３ページ目の画面の一例を模式的に示す図である。
【図１７】図１７は、実施の形態１における録画再生装置が図１４〜図１６に示すカテゴリ一覧の第１の番組選択メニューで選択された番組を再生しているときに、ディスプレイに表示される画面の一例を模式的に示す図である。
【図１８】図１８は、実施の形態１における録画再生装置が図１４〜図１６に示すカテゴリ一覧の第１の番組選択メニューで選択された番組を再生している状態において、リモートコントローラの再生メニューキーが押下されたときに、ディスプレイに表示される画面の一例を模式的に示す図である。
【図１９】図１９は、実施の形態１における録画再生装置において図１８に示す画面が表示された後でリモートコントローラの上キーが押下されたときに、ディスプレイに表示される画面の一例を模式的に示す図である。
【図２０】図２０は、実施の形態１における録画再生装置において図１８に示す画面が表示された後でリモートコントローラの左キーが押下されたときに、ディスプレイに表示される画面の一例を模式的に示す図である。
【図２１】図２１は、実施の形態１における録画再生装置が図４に示すチャンネル録画一覧の第１の番組選択メニューで選択された番組を再生している状態において、リモートコントローラの上／下／左／右キーのうちの１つが押下されたときに、ディスプレイに表示される画面の一例を模式的に示す図である。
【図２２】図２２は、実施の形態１における録画再生装置が図１４〜図１６に示すカテゴリ一覧の第１の番組選択メニューで選択された番組を再生している状態において、リモートコントローラの上／下／左／右キーのうちの１つが押下されたときに、ディスプレイに表示される画面の一例を模式的に示す図である。
【図２３】図２３は、実施の形態１における録画再生装置が図１４〜図１６に示すカテゴリ一覧の第１の番組選択メニューで選択された番組を再生している状態において、リモートコントローラの上／下／左／右キーのうちの１つが押下されたときに、ディスプレイに表示される画面の一例を模式的に示す図である。
【図２４】図２４は、実施の形態１における録画再生装置において、図２３に示した画面がユーザに操作されることによりディスプレイに表示される画面の一例を模式的に示す図である。
【図２５】図２５は、実施の形態１における録画再生装置が備える制御回路によって実行される番組再生処理の一例を示すフローチャートである。
【図２６】図２６は、実施の形態１における録画再生装置が備える制御回路によって実行される再生開始処理のサブルーチンの一例を示すフローチャートである。
【図２７】図２７は、実施の形態１における録画再生装置が備える制御回路によって実行される番組再選択処理のサブルーチンの一例を示すフローチャートである。
【図２８】図２８は、実施の形態１における録画再生装置が備える制御回路によって実行される上メニュー再選択処理のサブルーチンの一例を示すフローチャートである。
【図２９】図２９は、実施の形態１における録画再生装置が備える制御回路によって実行される左メニュー再選択処理のサブルーチンの一例を示すフローチャートである。
【図３０】図３０は、実施の形態１における録画再生装置が備える制御回路によって実行される番組ザッピング処理のサブルーチンの一例を示すフローチャートである。
【図３１】図３１は、実施の形態１における録画再生装置が備える制御回路によって実行される再生終了処理のサブルーチンの一例を示すフローチャートである。
【発明を実施するための形態】
【００１０】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１１】
なお、添付図面および以下の説明は、当業者が本開示を十分に理解するために提供されるのであって、これらにより特許請求の範囲に記載の主題を限定することは意図されていない。
【００１２】
また、各図は、模式図であり、必ずしも厳密に図示されたものではない。また、各図において、実質的に同じ構成要素については同じ符号を付し、説明を省略または簡略化する場合がある。
【００１３】
（実施の形態１）
以下、図１〜図３１を参照して、実施の形態１における録画再生装置を説明する。なお、以下では、リモートコントローラ２に設けられ、ユーザが操作可能なスイッチを、「キー」という。また、ディスプレイ４の画面４０上に表示され、ユーザが操作可能な領域またはエリアを、「ボタン」という。
【００１４】
［１−１．構成］
図１は、実施の形態１における録画再生装置１を含むテレビジョンシステムの一構成例を模式的に示すブロック図である。
【００１５】
テレビジョンシステムは、アンテナＡＮＴ、録画再生装置１、リモートコントローラ２、番組情報サーバ装置３、およびディスプレイ４を含む。
【００１６】
録画再生装置１は、アンテナＡＮＴに接続されている。録画再生装置１は、放送局から放送波を通して放送された複数の番組を録画し、録画した番組を再生することができる。録画再生装置１は、通常録画機能と、チャンネル録画機能と、を有する。通常録画機能は、ユーザによって指示された放送中の番組またはユーザによって録画予約された番組を録画する機能である。チャンネル録画機能は、１つ以上のチャンネルの番組を録画し続ける機能である。したがって、チャンネル録画機能を有する録画再生装置１は、録画対象となるチャンネルで放送される実質的にすべての番組を連続して録画することができる。
【００１７】
リモートコントローラ２は、無線（例えば、Ｂｌｕｅｔｏｏｔｈ（登録商標）、または赤外線、等）を介して録画再生装置１と通信することができる。リモートコントローラ２は、ユーザによって入力された指示（ユーザコマンド）を取得し、そのユーザコマンドを録画再生装置１に無線送信することができる。
【００１８】
番組情報サーバ装置３は、インターネット等のネットワークを介して録画再生装置１と通信することができ、録画再生装置１で再生中の番組に関連する情報である番組情報を、録画再生装置１に提供することができる。
【００１９】
ディスプレイ４は、例えばテレビジョン受像機である。ディスプレイ４は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）（登録商標）等のインターフェースを介して録画再生装置１に接続されており、録画再生装置１で再生された番組を画面４０に表示することができる。
【００２０】
録画再生装置１は、通常録画部１０、チャンネル録画部２０、制御回路３１、ＲＣ（リモートコントロール）受信機３２、通信回路３３、番組ＤＢ（データベース）生成回路３４、番組再生回路３５、ＵＩ（ユーザインターフェース）生成回路３６、および画面重畳回路３７、を備える。
【００２１】
通常録画部１０は、チューナ１１、チューナ１２、チューナ１３、通常録画回路１４、および記憶装置１５を備える。
【００２２】
チャンネル録画部２０は、チューナ２１、チューナ２２、チューナ２３、チューナ２４、チューナ２５、チューナ２６、チャンネル録画回路２７、および記憶装置２８、を備える。
【００２３】
通常録画部１０は、ユーザによって指示された放送中の番組、またはユーザによって録画予約された番組を録画することができる。
【００２４】
チャンネル録画部２０は、１つ以上のチャンネルの番組を録画し続けることができる。したがって、チャンネル録画部２０は、録画対象となるチャンネルで放送される実質的にすべての番組を連続して録画することができる。
【００２５】
チューナ１１〜１３、チューナ２１〜２６は、少なくとも１つの受信機の一例である。チューナ１１〜１３、チューナ２１〜２６は、アンテナＡＮＴに接続され、地上波放送または衛星放送（ＢＳ（Ｂｒｏａｄｃａｓｔｉｎｇ  Ｓａｔｅｌｌｉｔｅ）放送、またはＣＳ（Ｃｏｍｍｕｎｉｃａｔｉｏｎｓ  Ｓａｔｅｌｌｉｔｅ）放送、等）で、放送局から放送された複数の番組とその番組情報を受信することができる。
【００２６】
通常録画回路１４は、チューナ１１〜１３により受信された複数の番組とそれらの番組の番組情報とを記憶装置１５に録画する。チャンネル録画回路２７は、チューナ２１〜２６により受信された複数の番組とそれらの番組の番組情報とを記憶装置２８に録画する。記憶装置１５および記憶装置２８は、記憶部の一例であり、１つまたは複数のハードディスクドライブ等で構成されてもよい。
【００２７】
チャンネル録画部２０は、例えば録画再生装置１のメンテナンスのために、１日のうちのあらかじめ決められた長さの期間を休止してもよい。
【００２８】
ＲＣ受信機３２は、ユーザ入力部の一例である。ＲＣ受信機３２は、リモートコントローラ２と無線通信し、リモートコントローラ２からユーザコマンド（制御信号）を取得することができる。
【００２９】
通信回路３３は、番組情報サーバ装置３と通信し、録画再生装置１で再生中の番組に関連する番組情報を番組情報サーバ装置３から取得することができる。録画再生装置１で再生中の番組に関連する番組情報は、例えば、再生中の番組のシーン一覧、再生中の番組に類似した番組、番組のランキング、等を含む。通信回路３３は、番組情報サーバ装置３と通信し、ニュース等の他の情報を取得してもよい。
【００３０】
番組ＤＢ生成回路３４は、記憶装置１５、２８に録画された番組の番組情報である、タイトル名、記録時間、およびジャンル、等の属性情報と、記録位置に関する情報と、を含む番組データベースを生成することができる。
【００３１】
番組再生回路３５は、再生部の一例である。番組再生回路３５は、記憶装置１５、２８に録画された複数の番組のうちの１つを再生することができる。
【００３２】
ＵＩ生成回路３６は、ユーザインターフェース生成部の一例である。ＵＩ生成回路３６は、番組データベースの情報に基づいて、複数のユーザインターフェース画像を生成することができる。ユーザインターフェース画像は、記憶装置１５、２８に録画された複数の番組のうちの１つをユーザが選択できるようにディスプレイ４の画面４０に表示される画像である。
【００３３】
画面重畳回路３７は、画面重畳部の一例である。画面重畳回路３７は、再生された番組の映像信号およびユーザインターフェース画像に基づいて、出力映像信号を生成することができる。
【００３４】
制御回路３１は、制御部の一例である。制御回路３１は、ユーザコマンドに基づいて、通常録画回路１４、チャンネル録画回路２７、番組再生回路３５、およびＵＩ生成回路３６、を制御することができる。
【００３５】
画面重畳回路３７によって生成された出力映像信号による映像は、ディスプレイ４の画面４０に表示される。
【００３６】
図２は、実施の形態１におけるリモートコントローラ２の上面図である。
【００３７】
図２には、リモートコントローラ２が備える複数のキーの一例を示す。本実施の形態では、リモートコントローラ２が備える複数のキーのうち、主に、カーソルキー５１、決定キー５２、チャンネル録画一覧キー５３、通常録画一覧キー５４、カテゴリ一覧キー５５、および再生メニューキー５６、が使用される。カーソルキー５１には、上キー、下キー、左キー、および右キー、が含まれる。
【００３８】
図３は、実施の形態１におけるリモートコントローラ２の側面図である。
【００３９】
図３に示すように、リモートコントローラ２の背面（複数のキーが設けられた面の裏面）には、ユーザの指を入れることができる窪みが設けられている。そして、ユーザがモーションキー５７を押したままリモートコントローラ２を上下左右に振ることが容易にできるように、モーションキー５７はその窪みに配置されている。
【００４０】
リモートコントローラ２は、モーションキー５７が押されているときに動作するジャイロセンサを内蔵してもよい。リモートコントローラ２は、リモートコントローラ２が上下左右に振られたときの移動量をそのジャイロセンサにより検知し、検知された移動量を録画再生装置１に送信してもよい。録画再生装置１のＵＩ生成回路３６は、リモートコントローラ２で検知されリモートコントローラ２から送信されてくるリモートコントローラ２の移動量に応じて、画面４０上でカーソルを移動させてもよい。以下、この機能を「モーション機能」という。
【００４１】
［１−２．動作］
録画再生装置１は、ユーザが、録画された番組の中から所望の番組を選択できるようにするために、複数の番組選択メニューをユーザに提示する。録画再生装置１は、本実施の形態においては、主に以下の３つの番組選択メニューをユーザに提示する。
【００４２】
（１）チャンネル録画一覧
チャンネル録画一覧は、チャンネル録画部２０によって録画された複数の番組からユーザが所望の番組を選択できるようにするための番組選択メニューである。チャンネル録画一覧は、複数の番組情報がチャンネルおよび時間により２次元的に配列された番組表の形式を有する。
【００４３】
（２）通常録画一覧
通常録画一覧は、通常録画部１０によって録画された複数の番組からユーザが所望の番組を選択できるようにするための番組選択メニューである。通常録画一覧は、複数の番組情報が時系列に配列された形式を有する。
【００４４】
（３）カテゴリ一覧
カテゴリ一覧は、チャンネル録画部２０によって録画された複数の番組からユーザが所望の番組を選択できるようにするための番組選択メニューである。カテゴリ一覧は、複数の番組情報がカテゴリにより分類されて配列された形式を有する。
【００４５】
各番組選択メニュー（すなわち、チャンネル録画一覧、通常録画一覧、およびカテゴリ一覧）では、録画された複数の番組の番組情報が、互いに異なる分類方法で分類されて配列されている。
【００４６】
一般的には、ユーザに提示されるメニューの数が増大すると、メニュー間の遷移回数が増大し、ユーザ操作が複雑化する。したがって、ユーザ操作の複雑化を抑制し、録画された番組の中からユーザが所望する番組を、相対的に少ない手間でユーザが選択して再生することができる録画再生装置が望まれる。
【００４７】
本実施の形態において、ＵＩ生成回路３６は、記憶装置１５、２８に録画された複数の番組の番組情報が、複数の分類方法で分類されて配列された複数ペアの番組選択メニューのＵＩ画像を生成する。ＵＩ生成回路３６は、例えば、チャンネル録画一覧の番組選択メニューを生成するときは、チャンネルと日付け（または、時間）とをペアにしたＵＩ画像を生成する。
【００４８】
各番組選択メニューは、それぞれが第１の番組選択メニューおよび第２の番組選択メニューを有する。第１の番組選択メニューおよび第２の番組選択メニューのそれぞれは、互いに同じ分類方法で分類された複数の番組情報の複数の配列を含む。すなわち、チャンネル録画一覧は、チャンネル録画一覧の形式でディスプレイ４に表示される第１の番組選択メニューおよび第２の番組選択メニューを有する。通常録画一覧は、通常録画一覧の形式でディスプレイ４に表示される第１の番組選択メニューおよび第２の番組選択メニューを有する。カテゴリ一覧は、カテゴリ一覧の形式でディスプレイ４に表示される第１の番組選択メニューおよび第２の番組選択メニューを有する。
【００４９】
なお、第１の番組選択メニューは、録画された番組が再生されていないときにディスプレイ４に表示され、第２の番組選択メニューは、録画された番組が再生されているときに、再生中の番組の映像に部分的に重畳してディスプレイ４に表示される。
【００５０】
［１−２−１．チャンネル録画一覧を用いた番組の再生］
図４は、実施の形態１における録画再生装置１が録画された番組を再生していない状態において、リモートコントローラ２のチャンネル録画一覧キー５３が押下されたときに、ディスプレイ４（図１参照）に表示されるチャンネル録画一覧の第１の番組選択メニューの画面１００の一例を模式的に示す図である。
【００５１】
図５は、実施の形態１における録画再生装置１が図４に示すチャンネル録画一覧の第１の番組選択メニューで選択された番組を再生しているときに、ディスプレイ４（図１参照）に表示される画面１１０の一例を模式的に示す図である。
【００５２】
録画再生装置１では、録画された番組が再生されていない状態において、リモートコントローラ２のチャンネル録画一覧キー５３が押下されたときには、制御回路３１により、チャンネル録画一覧の第１の番組選択メニューがディスプレイ４に表示される。図４の画面１００は、チャンネル録画一覧の第１の番組選択メニューの一例を示したものである。チャンネル録画一覧の第１の番組選択メニューは、番組表エリア１０１と説明文エリア１０２とを備える。
【００５３】
番組表エリア１０１は、図４に示すように、横軸をチャンネルとし、縦軸を時間として、チャンネル録画部２０によって録画された複数の番組の番組情報が２次元的に配列された番組表の形式を有する。したがって、チャンネル録画一覧の第１の番組選択メニューにおいて、チャンネル録画部２０によって録画された複数の番組は、各番組を放送した複数のチャンネルのそれぞれに対応する複数の配列に分類されている。そして、各チャンネルの表示欄の中では、当該チャンネルの番組が時系列に並べられている。
【００５４】
ユーザは、リモートコントローラ２のカーソルキー５１を用いて、番組表エリア１０１内でカーソル１０３を移動させ、番組表エリア１０１に表示された複数の番組情報のうちの１つの番組情報を選択することができる。説明文エリア１０２には、カーソル１０３で選択された番組情報に対応する番組の説明文が表示される。リモートコントローラ２の決定キー５２が押下されたとき、録画再生装置１は、カーソル１０３で選択された番組情報に対応する番組の再生を開始する。これにより、例えば図５に例示するように、ユーザに選択された番組の映像がディスプレイ４に表示される。
【００５５】
録画された番組が再生されている状態において、第２の番組選択メニューの呼び出しを指示するユーザコマンドが入力されたときには、制御回路３１により、第２の番組選択メニューが、再生中の番組の映像に部分的に重畳されてディスプレイ４に表示される。この第２の番組選択メニューは、再生中の番組が選択されたときに用いられた番組選択メニューに準ずる分類方法による番組選択メニューである。例えば、チャンネル録画一覧の第１の番組選択メニューで選択された番組が再生されているときであれば、第２の番組選択メニューの呼び出しを指示するユーザコマンドが入力されたときは、チャンネル録画一覧の形式に準ずる第２の番組選択メニューが、再生中の番組の映像に部分的に重畳してディスプレイ４に表示される。同様にして、通常録画一覧の第１の番組選択メニューで選択された番組が再生されているときであれば、通常録画一覧の形式に準ずる第２の番組選択メニューがディスプレイ４に表示され、カテゴリ一覧の第１の番組選択メニューで選択された番組が再生されているときであれば、カテゴリ一覧の形式に準ずる第２の番組選択メニューがディスプレイ４に表示される。なお、本実施の形態において、第２の番組選択メニューの呼び出しを指示するユーザコマンドは、リモートコントローラ２の再生メニューキー５６が押下されることによってリモートコントローラ２に入力され、リモートコントローラ２から録画再生装置１に送信される。
【００５６】
図６は、実施の形態１における録画再生装置１が図４に示すチャンネル録画一覧の第１の番組選択メニューで選択された番組を再生している状態において、リモートコントローラ２の再生メニューキー５６が押下されたときに、ディスプレイ４（図１参照）に表示される画面１２０の一例を模式的に示す図である。
【００５７】
図７は、実施の形態１における録画再生装置１において、図６に示す画面１２０が表示された後でリモートコントローラ２の上キーが押下されたときに、ディスプレイ４（図１参照）に表示される画面１３０の一例を模式的に示す図である。
【００５８】
図８は、実施の形態１における録画再生装置１において、図６に示す画面１２０が表示された後でリモートコントローラ２の左キーが押下されたときに、ディスプレイ４（図１参照）に表示される画面１４０の一例を模式的に示す図である。
【００５９】
図６の画面１２０、図７の画面１３０、および図８の画面１４０は、チャンネル録画一覧の第２の番組選択メニューの一例を示したものである。
【００６０】
第２の番組選択メニューは、複数のタブメニュー１２１〜１２４と、タブメニュー１２１〜１２４のそれぞれに対応する複数の詳細メニューと、を含む。例えば、詳細メニュー１３１は、タブメニュー１２１に対応する詳細メニューであり、詳細メニュー１４１は、タブメニュー１２２に対応する詳細メニューである。
【００６１】
制御回路３１は、第２の番組選択メニューの呼び出しを指示するユーザコマンドが入力されたときには、複数のタブメニュー１２１〜１２４をディスプレイ４に表示させる。タブメニュー１２１〜１２４のそれぞれは、図６に例示するように、ディスプレイ４の画面４０の上辺、左辺、下辺、および右辺に沿って表示される。
【００６２】
第２の番組選択メニューがディスプレイ４に表示されている状態で、複数のタブメニュー１２１〜１２４のうちの１つを選択するユーザコマンドが入力されたとき、制御回路３１は、選択された１つのタブメニューに対応する詳細メニューをディスプレイ４に表示させる。本実施の形態において、複数のタブメニュー１２１〜１２４のうちの１つを選択するユーザコマンドは、例えば、リモートコントローラ２のカーソルキー５１の上キー、下キー、左キー、または右キーのいずれかが押下されることによってリモートコントローラ２に入力され、リモートコントローラ２から録画再生装置１に送信される。
【００６３】
タブメニュー１２１〜１２４のそれぞれに対応する各詳細メニューも、例えば、ディスプレイ４の画面４０の上辺、左辺、下辺、および右辺に沿って表示される。
【００６４】
タブメニュー１２１を選択するユーザコマンドが入力されたとき、タブメニュー１２１に対応する詳細メニュー１３１は、図７に例示するように、タブメニュー１２１と同様に、ディスプレイ４の画面４０の上辺に沿って表示される。詳細メニュー１３１には、クリックされることで複数の番組情報が配列して表示される複数のアイコン（図７に示す例では、チャンネルＣＨ１〜ＣＨ６のそれぞれに対応する複数のアイコン）が含まれる。
【００６５】
タブメニュー１２２を選択するユーザコマンドが入力されたとき、タブメニュー１２２に対応する詳細メニュー１４１は、図８に例示するように、タブメニュー１２２と同様に、ディスプレイ４の画面４０の左辺に沿って表示される。詳細メニュー１４１には、再生中の番組の番組情報が属する分類に含まれる複数の番組情報の配列（図８に示す例では、チャンネルＣＨ１で放送された複数の番組の番組情報の配列）が含まれる。
【００６６】
制御回路３１は、例えばタブメニュー１２１を選択するユーザコマンドが入力されたとき、詳細メニュー１３１において、再生中の番組が属する分類の配列（図７に示す例では、チャンネルＣＨ１）に対応するアイコンを、カーソル１３２または他の表示方法によって強調表示させてもよい。また、制御回路３１は、タブメニュー１２２を選択するユーザコマンドが入力されたとき、詳細メニュー１４１において、再生中の番組の番組情報を、カーソル１４２または他の表示方法によって強調表示させてもよい。
【００６７】
タブメニュー１２３を選択するユーザコマンドが入力されたとき、タブメニュー１２３に対応する詳細メニューは、タブメニュー１２３と同様に、ディスプレイ４の画面４０の下辺に沿って表示される（図示せず）。この詳細メニュー（図示せず）には、例えば、再生中の番組に類似するおすすめの番組の番組情報が表示される。
【００６８】
タブメニュー１２４を選択するユーザコマンドが入力されたとき、タブメニュー１２４に対応する詳細メニューは、タブメニュー１２４と同様に、ディスプレイ４の画面４０の右辺に沿って表示される（図示せず）。この詳細メニュー（図示せず）には、例えば、再生中の番組における代表的なシーンの一覧が表示される。なお、おすすめの番組の番組情報およびシーン一覧は、例えば、番組情報サーバ装置３から取得される。
【００６９】
なお、図６に示すタブメニュー１２１〜１２４の表示位置は単なる一例に過ぎない。ディスプレイ４の画面４０に表示されるタブメニュー１２１〜１２４の位置は互いに入れ替わってもよい。
【００７０】
［１−２−２．通常録画一覧を用いた番組の再生］
図９は、実施の形態１における録画再生装置１が録画された番組を再生していない状態において、リモートコントローラ２の通常録画一覧キー５４が押下されたときに、ディスプレイ４（図１参照）に表示される通常録画一覧の第１の番組選択メニューの画面２００の一例を模式的に示す図である。
【００７１】
図１０は、実施の形態１における録画再生装置１が図９に示す通常録画一覧の第１の番組選択メニューで選択された番組を再生しているときに、ディスプレイ４（図１参照）に表示される画面２１０の一例を模式的に示す図である。
【００７２】
録画再生装置１では、録画された番組が再生されていない状態において、リモートコントローラ２の通常録画一覧キー５４が押下されたときには、制御回路３１により、通常録画一覧の第１の番組選択メニューがディスプレイ４に表示される。図９の画面２００は、通常録画一覧の第１の番組選択メニューの一例を示したものである。通常録画一覧の第１の番組選択メニューは、複数のタグ２０１と番組リスト２０３とを備える。
【００７３】
通常録画部１０によって録画された複数の番組は、番組のカテゴリ（例えば、ジャンル等）を表すあらかじめ決められた複数のタグ２０１によって分類されている。そして、通常録画一覧の第１の番組選択メニューでは、それら複数のタグ２０１が配列されてディスプレイ４に表示されている。
【００７４】
ユーザは、リモートコントローラ２のカーソルキー５１を用いて、複数のタグ２０１の上でカーソル２０２を移動させ、複数のタグ２０１のうちの１つを選択することができる。
【００７５】
複数のタグ２０１のうちの１つがカーソル２０２によって選択されたとき、番組リスト２０３には、当該タグを有する複数の番組の番組情報が、時系列に配列された形式で表示される。例えば「すべて」タグは、通常録画部１０によって録画されたすべての番組を示す。したがって、「すべて」タグがカーソル２０２によって選択されたときは、通常録画部１０によって録画されたすべての番組の番組情報のうちの一部（ディスプレイ４の画面４０に表示できる数の番組情報）が番組リスト２０３に表示される。このように、通常録画部１０によって録画された複数の番組は、複数のタグ２０１のそれぞれに対応して分類される。そして、複数のタグ２０１のうちのいずれかのタグがユーザに選択されると、当該タグを有する複数の番組情報が時系列に並べられた配列が番組リスト２０３に表示される。
【００７６】
ユーザは、リモートコントローラ２のカーソルキー５１を用いて、番組リスト２０３内でカーソル２０４を移動させ、番組リスト２０３に表示された複数の番組情報のうちの１つの番組情報を選択することができる。リモートコントローラ２の決定キー５２が押下されたとき、録画再生装置１は、カーソル２０４で選択された番組情報に対応する番組の再生を開始する。これにより、例えば図１０に例示するように、ユーザに選択された番組の映像がディスプレイ４に表示される。
【００７７】
図１１は、実施の形態１における録画再生装置１が図９に示す通常録画一覧の第１の番組選択メニューで選択された番組を再生している状態において、リモートコントローラ２の再生メニューキー５６が押下されたときに、ディスプレイ４（図１参照）に表示される画面２２０の一例を模式的に示す図である。
【００７８】
図１２は、実施の形態１における録画再生装置１において、図１１に示す画面２２０が表示された後でリモートコントローラ２の上キーが押下されたときに、ディスプレイ４（図１参照）に表示される画面２３０の一例を模式的に示す図である。
【００７９】
図１３は、実施の形態１における録画再生装置１において、図１１に示す画面２２０が表示された後でリモートコントローラ２の左キーが押下されたときに、ディスプレイ４（図１参照）に表示される画面２４０の一例を模式的に示す図である。
【００８０】
図１１の画面２２０、図１２の画面２３０、および図１３の画面２４０は、通常録画一覧の第２の番組選択メニューの一例を示したものである。
【００８１】
第２の番組選択メニューは、複数のタブメニュー２２１〜２２４と、各タブメニュー２２１〜２２４のそれぞれに対応する複数の詳細メニューと、を含む。例えば、詳細メニュー２３１は、タブメニュー２２１に対応する詳細メニューであり、詳細メニュー２４１は、タブメニュー２２２に対応する詳細メニューである。
【００８２】
制御回路３１は、第２の番組選択メニューの呼び出しを指示するユーザコマンドが入力されたときには、複数のタブメニュー２２１〜２２４をディスプレイ４に表示させる。タブメニュー２２１〜２２４のそれぞれは、図１１に例示するように、ディスプレイ４の画面４０の上辺、左辺、下辺、および右辺に沿って表示される。
【００８３】
第２の番組選択メニューがディスプレイ４に表示されている状態で、複数のタブメニュー２２１〜２２４のうちの１つを選択するユーザコマンドが入力されたとき、制御回路３１は、選択された１つのタブメニューに対応する詳細メニューをディスプレイ４に表示させる。本実施の形態において、複数のタブメニュー２２１〜２２４のうちの１つを選択するユーザコマンドは、例えば、リモートコントローラ２のカーソルキー５１の上キー、下キー、左キー、または右キーのいずれかが押下されることによってリモートコントローラ２に入力され、リモートコントローラ２から録画再生装置１に送信される。
【００８４】
タブメニュー２２１〜２２４のそれぞれに対応する各詳細メニューも、例えば、ディスプレイ４の画面４０の上辺、左辺、下辺、および右辺に沿って表示される。
【００８５】
タブメニュー２２１を選択するユーザコマンドが入力されたとき、タブメニュー２２１に対応する詳細メニュー２３１は、図１２に例示するように、タブメニュー２２１と同様に、ディスプレイ４の画面４０の上辺に沿って表示される。詳細メニュー２３１には、クリックされることで複数の番組情報が配列して表示される複数のアイコン（図１２に示す例では、図９に示した複数のタグ２０１のそれぞれに対応する複数のアイコン）が含まれる。
【００８６】
タブメニュー２２２を選択するユーザコマンドが入力されたとき、タブメニュー２２２に対応する詳細メニュー２４１は、図１３に例示するように、タブメニュー２２２と同様に、ディスプレイ４の画面４０の左辺に沿って表示される。詳細メニュー２４１には、再生中の番組の番組情報が属する分類に含まれる複数の番組情報の配列（図１３に示す例では、「すべて」タグを有する複数の番組の番組情報）が含まれる。
【００８７】
制御回路３１は、例えばタブメニュー２２１を選択するユーザコマンドが入力されたとき、詳細メニュー２３１において、再生中の番組の番組情報の配列を表示するタグ（図１２に示す例では、「すべて」タグ）に対応するアイコンを、カーソル２３２または他の表示方法によって強調表示させてもよい。また、制御回路３１は、タブメニュー２２２を選択するユーザコマンドが入力されたとき、詳細メニュー２４１において、再生中の番組の番組情報を、カーソル２４２または他の表示方法によって強調表示させてもよい。
【００８８】
タブメニュー２２３を選択するユーザコマンドが入力されたとき、タブメニュー２２３に対応する詳細メニューは、タブメニュー２２３と同様に、ディスプレイ４の画面４０の下辺に沿って表示される（図示せず）。この詳細メニュー（図示せず）には、例えば、再生中の番組に類似するおすすめの番組の番組情報が表示される。
【００８９】
タブメニュー２２４を選択するユーザコマンドが入力されたとき、タブメニュー２２４に対応する詳細メニューは、タブメニュー２２４と同様に、ディスプレイ４の画面４０の右辺に沿って表示される（図示せず）。この詳細メニュー（図示せず）には、例えば、再生中の番組における代表的なシーンの一覧が表示される。おすすめの番組の番組情報およびシーン一覧は、上述したように、例えば、番組情報サーバ装置３から取得される。
【００９０】
［１−２−３．カテゴリ一覧を用いた番組の再生］
図１４は、実施の形態１における録画再生装置１が録画された番組を再生していない状態において、リモートコントローラ２のカテゴリ一覧キー５５が押下されたときに、ディスプレイ４（図１参照）に表示されるカテゴリ一覧の第１の番組選択メニューの１ページ目の画面３００の一例を模式的に示す図である。
【００９１】
図１５は、実施の形態１における録画再生装置１が録画された番組を再生していない状態において、リモートコントローラ２のカテゴリ一覧キー５５が押下されたときに、ディスプレイ４（図１参照）に表示されるカテゴリ一覧の第１の番組選択メニューの２ページ目の画面３１０の一例を模式的に示す図である。
【００９２】
図１６は、実施の形態１における録画再生装置１が録画された番組を再生していない状態において、リモートコントローラ２のカテゴリ一覧キー５５が押下されたときに、ディスプレイ４（図１参照）に表示されるカテゴリ一覧の第１の番組選択メニューの３ページ目の画面３２０の一例を模式的に示す図である。
【００９３】
図１７は、実施の形態１における録画再生装置１が図１４〜図１６に示すカテゴリ一覧の第１の番組選択メニューで選択された番組を再生しているときに、ディスプレイ４（図１参照）に表示される画面３３０の一例を模式的に示す図である。
【００９４】
カテゴリ一覧の番組選択メニューでは、チャンネル録画部２０によって録画された複数の番組が、複数のカテゴリのそれぞれに対応する複数の配列に分類されてディスプレイ４に表示される。本実施の形態では、例えば、チャンネル録画部２０によって録画された複数の番組のうち、新たに録画された番組のみが、複数のカテゴリのそれぞれに対応する複数の配列に分類されてディスプレイ４に表示されユーザに提示される。
【００９５】
録画再生装置１では、録画された番組が再生されていない状態において、リモートコントローラ２のカテゴリ一覧キー５５が押下されたときには、制御回路３１により、カテゴリ一覧の第１の番組選択メニューがディスプレイ４に表示される。図１４の画面３００、図１５の画面３１０、および図１６の画面３２０は、カテゴリ一覧の第１の番組選択メニューの一例を示したものである。
【００９６】
カテゴリ一覧の第１の番組選択メニューは、複数のページを含んでいてもよい。本実施の形態では、カテゴリ一覧の第１の番組選択メニューが３つのページ（画面３００、３１０、および３２０）を含む例を示す。
【００９７】
カテゴリ一覧の第１の番組選択メニューの１ページ目（画面３００）は、録画再生装置１を使用するユーザの視聴頻度が高い番組（ユーザがよくみる番組）のカテゴリを示す履歴エリア３０１と、番組のランキングを示すランキングエリア３０２と、話題のニュース一覧を示すニュースエリア３０３と、を備える。番組のランキングおよび話題のニュース一覧は、おすすめの番組の番組情報やシーン一覧と同様に、例えば番組情報サーバ装置３から取得される。
【００９８】
カテゴリ一覧の第１の番組選択メニューの２ページ目（画面３１０）は、ジャンルで分類された番組のカテゴリを表示する。カテゴリ一覧の第１の番組選択メニューの３ページ目（画面３２０）は、ユーザが設定した条件（ジャンルおよびキーワード等）で検索された番組のカテゴリを表示する。画面３００、３１０、および３２０のそれぞれに表示される各カテゴリのボタンには、例えば、当該カテゴリに含まれる複数の番組のうちの１つの番組のサムネイル画像が表示される。
【００９９】
ユーザは、リモートコントローラ２のカーソルキー５１を用いてカテゴリ一覧の第１の番組選択メニューのページを捲り、３つのページ（画面３００、３１０、および３２０）のうちの任意の１つをディスプレイ４に表示させることができる。ユーザは、カーソルキー５１を押下することに代えて、リモートコントローラ２のモーション機能を用いて、第１の番組選択メニューのページを捲ることも可能である。例えば、ユーザによりリモートコントローラ２のモーションキー５７が押下されたときは、モーション機能により移動するカーソルによって図１４に示すボタン３０５、または図１５に示すボタン３１１〜３１２、または図１６に示すボタン３２１が選択されることで、第１の番組選択メニューのページが捲られてもよい。
【０１００】
また、ユーザは、リモートコントローラ２のカーソルキー５１を用いて、第１の番組選択メニュー内でカーソル３０４を移動させ、第１の番組選択メニューに表示された複数の番組情報のうちの１つの番組情報を選択することができる。リモートコントローラ２の決定キー５２が押下されたとき、録画再生装置１は、カーソル３０４で選択された番組情報に対応する番組の再生を開始する。これにより、例えば図１７に例示するように、ユーザに選択された番組の映像がディスプレイ４に表示される。
【０１０１】
また、カテゴリ一覧の第１の番組選択メニューの１ページ目が表示されているときは、履歴エリア３０１に表示された複数のカテゴリのうちの１つのカテゴリが選択されると、ユーザの再生履歴に従って、当該カテゴリの未視聴番組が古い順に再生されてディスプレイ４に表示される。ランキングエリア３０２に表示された複数のランキングのカテゴリうちの１つのカテゴリが選択されると、当該カテゴリの番組がランキングの順に再生されてディスプレイ４に表示される。ニュースエリア３０３に表示された複数のニュースのカテゴリうちの１つのカテゴリが選択されると、当該カテゴリのニュースの各シーンが放送回数の多い順に再生されてディスプレイ４に表示される。カテゴリ一覧の第１の番組選択メニューの２ページ目が表示されているときは、画面３１０に表示された複数のカテゴリのうちの１つのカテゴリが選択されると、当該カテゴリの最新の番組が再生されてディスプレイ４に表示される。カテゴリ一覧の第１の番組選択メニューの３ページ目が表示されているときは、画面３２０に表示された複数のカテゴリのうちの１つのカテゴリが選択されると、当該カテゴリの最新の番組が再生されてディスプレイ４に表示される。
【０１０２】
図１８は、実施の形態１における録画再生装置１が図１４〜図１６に示すカテゴリ一覧の第１の番組選択メニューで選択された番組を再生している状態において、リモートコントローラ２の再生メニューキー５６が押下されたときに、ディスプレイ４（図１参照）に表示される画面３４０の一例を模式的に示す図である。
【０１０３】
図１９は、実施の形態１における録画再生装置１において、図１８に示す画面３４０が表示された後でリモートコントローラ２の上キーが押下されたときに、ディスプレイ４（図１参照）に表示される画面３５０の一例を模式的に示す図である。
【０１０４】
図２０は、実施の形態１における録画再生装置１において、図１８に示す画面３４０が表示された後でリモートコントローラ２の左キーが押下されたときに、ディスプレイ４（図１参照）に表示される画面３６０の一例を模式的に示す図である。
【０１０５】
図１８の画面３４０、図１９の画面３５０、および図２０の画面３６０は、カテゴリ一覧の第２の番組選択メニューの一例を示したものである。
【０１０６】
第２の番組選択メニューは、複数のタブメニュー３４１〜３４４と、各タブメニュー３４１〜３４４のそれぞれに対応する複数の詳細メニューとを含む。例えば、詳細メニュー３５１は、タブメニュー３４１に対応する詳細メニューであり、詳細メニュー３６１は、タブメニュー３４２に対応する詳細メニューである。
【０１０７】
制御回路３１は、第２の番組選択メニューの呼び出しを指示するユーザコマンドが入力されたときには、複数のタブメニュー３４１〜３４４をディスプレイ４に表示させる。タブメニュー３４１〜３４４のそれぞれは、図１８に例示するように、ディスプレイ４の画面４０の上辺、左辺、下辺、および右辺に沿って表示される。
【０１０８】
第２の番組選択メニューがディスプレイ４に表示されている状態で、複数のタブメニュー３４１〜３４４のうちの１つを選択するユーザコマンドが入力されたとき、制御回路３１は、選択された１つのタブメニューに対応する詳細メニューをディスプレイ４に表示させる。本実施の形態において、複数のタブメニュー３４１〜３４４のうちの１つを選択するユーザコマンドは、例えば、リモートコントローラ２のカーソルキー５１の上キー、下キー、左キー、または右キーのいずれかが押下されることによってリモートコントローラ２に入力され、リモートコントローラ２から録画再生装置１に送信される。
【０１０９】
タブメニュー３４１〜３４４のそれぞれに対応する各詳細メニューも、例えば、ディスプレイ４の画面４０の上辺、左辺、下辺、および右辺に沿って表示される。
【０１１０】
タブメニュー３４１を選択するユーザコマンドが入力されたとき、タブメニュー３４１に対応する詳細メニュー３５１は、図１９に例示するように、タブメニュー３４１と同様に、ディスプレイ４の画面４０の上辺に沿って表示される。詳細メニュー３５１には、クリックされることで複数の番組情報が配列して表示される複数のアイコン（図１９に示す例では、図１４〜図１６に示した複数のカテゴリのそれぞれに対応する複数のアイコン）が含まれる。
【０１１１】
図１９に示す例では、詳細メニュー３５１の１行目の情報エリア３５２には、図１４に示したカテゴリのそれぞれに対応する複数のアイコンが配列して表示されている。詳細メニュー３５１の２行目のジャンルエリア３５３には、図１５に示したカテゴリのそれぞれに対応する複数のアイコンが配列して表示されている。詳細メニュー３５１の３行目のお気に入りエリア３５４には、図１６に示したカテゴリのそれぞれに対応する複数のアイコンが配列して表示されている。
【０１１２】
タブメニュー３４２を選択するユーザコマンドが入力されたとき、タブメニュー３４２に対応する詳細メニュー３６１は、図２０に例示するように、タブメニュー３４２と同様に、ディスプレイ４の画面４０の左辺に沿って表示される。詳細メニュー３６１には、再生中の番組の番組情報が属するカテゴリに含まれる複数の番組情報の配列（図２０に示す例では、「よくみる番組  ドラマ」カテゴリに属する複数の番組の番組情報）が含まれる。
【０１１３】
詳細メニュー３６１に表示される番組情報の配列が、例えば、録画数ランキングまたは話題のニュースを示す場合には、番組情報はランキングの順に配列されて、表示される。詳細メニュー３６１に表示される番組情報の配列が、ドラマ等のジャンルを示す場合には、番組情報は古い順に配列されて、表示される。詳細メニュー３６１に表示される番組情報の配列が、再生履歴を示す場合には、番組情報は新しい順に配列されて表示される。
【０１１４】
制御回路３１は、例えばタブメニュー３４１を選択するユーザコマンドが入力されたとき、詳細メニュー３５１において、再生中の番組の番組情報が属するカテゴリ（図１９に示す例では、「よくみる番組  ドラマ」カテゴリ）に対応するアイコンを、カーソル３５５または他の表示方法によって強調表示させてもよい。また、制御回路３１は、タブメニュー３４２を選択するユーザコマンドが入力されたとき、詳細メニュー３６１において、再生中の番組の番組情報を、カーソル３６２または他の表示方法によって強調表示させてもよい。
【０１１５】
タブメニュー３４３を選択するユーザコマンドが入力されたとき、タブメニュー３４３に対応する詳細メニューは、タブメニュー３４３と同様に、ディスプレイ４の画面４０の下辺に沿って表示される（図示せず）。この詳細メニュー（図示せず）には、例えば、再生中の番組に類似するおすすめの番組の番組情報が表示される。
【０１１６】
タブメニュー３４４を選択するユーザコマンドが入力されたとき、タブメニュー３４４に対応する詳細メニューは、タブメニュー３４４と同様に、ディスプレイ４の画面４０の右辺に沿って表示される（図示せず）。この詳細メニュー（図示せず）には、例えば、再生中の番組における代表的なシーンの一覧が表示される。おすすめの番組の番組情報およびシーン一覧は、上述したように、例えば、番組情報サーバ装置３から取得される。
【０１１７】
なお、カテゴリ一覧の第１の番組選択メニューは、１ページの画面のみであってもよく、２ページの画面で構成されてもよく、あるいは４ページ以上の画面を含んでいてもよい。また、チャンネル録画一覧および通常録画一覧の第１の番組選択メニューは、２ページ以上の画面を含んでいてもよい。
【０１１８】
［１−２−４．番組選択メニュー間の遷移］
制御回路３１は、第２の番組選択メニューがディスプレイ４に表示されている状態において、ディスプレイ４に表示中の第２の番組選択メニューのものとは異なる分類方法による他の第２の番組選択メニューの表示を指示するユーザコマンドが入力されたときには、そのユーザコマンドに従い、他の第２の番組選択メニューをディスプレイ４に表示させることができる。すなわち、制御回路３１は、図７に示したチャンネル録画一覧の詳細メニュー、図１２に示した通常録画一覧の詳細メニュー、および図１９に示したカテゴリ一覧の詳細メニューのうちの１つの詳細メニューがディスプレイ４に表示されているとき、ユーザコマンドに従い、ディスプレイ４に表示される詳細メニューを、それらのうちの他の詳細メニューに切り替えることができる。
【０１１９】
ユーザは、リモートコントローラ２のカーソルキー５１を用いて、ディスプレイ４に表示される第２の番組選択メニューの切り替えを行うことができる。ユーザは、カーソルキー５１を押下することに代えて、リモートコントローラ２のモーション機能を用いて、第２の番組選択メニューを切り替えることも可能である。例えば、ユーザによりリモートコントローラ２のモーションキー５７が押下されたときは、モーション機能により移動するカーソルによって、図７に示すボタン１３３、または図１２に示すボタン２３３、または図１９に示すボタン３５６、３５７が選択されることで、第２の番組選択メニューが切り替えられてもよい。
【０１２０】
［１−２−５．ザッピングを用いた番組の再生−１］
次に、第３の番組選択メニューの一例を、図２１、図２２を用いて説明する。
【０１２１】
録画再生装置１は、録画された番組を再生している状態において、第３の番組選択メニューを生成してディスプレイ４に表示してもよい。第３の番組選択メニューは、再生中の番組が選択されたときに用いられた番組選択メニュー（チャンネル録画一覧、通常録画一覧、またはカテゴリ一覧）の、番組情報が並べられた複数の配列において、再生中の番組の番組情報に隣接する他の番組情報を、ユーザが容易に選択して再生することができるようにするための番組選択メニューである。第３の番組選択メニューは、ユーザが、第１の番組選択メニューおよび第２の番組選択メニューよりも容易に他の番組情報を選択できるようにすることを目的として生成される。
【０１２２】
ＵＩ生成回路３６は、録画された番組を再生しているときに、ディスプレイ４に表示される第３の番組選択メニューのＵＩ画像を生成する。第３の番組選択メニューは、複数の分類方法のうちの少なくとも１つの分類方法で分類された複数の番組情報の複数の配列において、再生中の番組の番組情報に隣接する少なくとも１つの番組情報を含む。
【０１２３】
録画された番組が再生されている状態において、第３の番組選択メニューの呼び出しを指示するユーザコマンドが入力されたときには、制御回路３１により、第３の番組選択メニューがディスプレイ４に表示される。この第３の番組選択メニューは、再生中の番組が選択されたときに用いられた番組選択メニューに準ずる分類方法による番組選択メニューである。例えば、チャンネル録画一覧の第１の番組選択メニュー（または第２の番組選択メニュー）で選択された番組が再生されているときであれば、第３の番組選択メニューの呼び出しを指示するユーザコマンドが入力されたときは、チャンネル録画一覧の形式に準ずる第３の番組選択メニューがディスプレイ４に表示される。同様にして、通常録画一覧の第１の番組選択メニュー（または第２の番組選択メニュー）で選択された番組が再生されているときであれば、通常録画一覧の形式に準ずる第３の番組選択メニューがディスプレイ４に表示され、カテゴリ一覧の第１の番組選択メニュー（または第２の番組選択メニュー）で選択された番組が再生されているときであれば、カテゴリ一覧の形式に準ずる第３の番組選択メニューがディスプレイ４に表示される。なお、本実施の形態において、第３の番組選択メニューの呼び出しを指示するユーザコマンドは、例えば、リモートコントローラ２の上／下／左／右キーのうちの１つが押下されることによってリモートコントローラ２に入力され、リモートコントローラ２から録画再生装置１に送信される。
【０１２４】
図２１は、実施の形態１における録画再生装置１が図４に示すチャンネル録画一覧の第１の番組選択メニューで選択された番組を再生している状態において、リモートコントローラ２の上／下／左／右キーのうちの１つが押下されたときに、ディスプレイ４（図１参照）に表示される画面４００の一例を模式的に示す図である。図２１の画面４００は、チャンネル録画一覧の第３の番組選択メニューの一例を示したものである。
【０１２５】
チャンネル録画一覧の第３の番組選択メニューは、図４に示したチャンネル録画一覧の第１の番組選択メニューのチャンネル毎の複数の番組情報の配列において、再生中の番組の番組情報に隣接する少なくとも１つの番組情報を含む。
【０１２６】
チャンネル録画一覧の第３の番組選択メニューの一例の画面４００は、画面４００の中央に、再生中の番組に対応したボタン４０１を備える。ボタン４０１には、その番組のサムネイル画像、チャンネル、録画日時、タイトル名、および番組内容情報が表示される。
【０１２７】
チャンネル録画一覧の第３の番組選択メニューは、さらに、ボタン４０２、ボタン４０３、ボタン４０４、およびボタン４０５を含む。ボタン４０２は、画面４００内でボタン４０１の上側に配置され、再生中の番組の直前の番組（チャンネル録画一覧の第１の番組選択メニュー内で、再生中の番組を表す番組情報の直上に表示される番組情報で表される番組のこと。図４参照）に対応したボタンである。ボタン４０３は、画面４００内でボタン４０１の下側に配置され、再生中の番組の直後の番組（チャンネル録画一覧の第１の番組選択メニュー内で、再生中の番組を表す番組情報の直下に表示される番組情報で表される番組のこと。図４参照）に対応したボタンである。ボタン４０４は、画面４００内でボタン４０１の左側に配置され、再生中の番組を放送したチャンネルの左側に隣接したチャンネル（チャンネル録画一覧の第１の番組選択メニュー内で、再生中の番組を表す番組情報の左側に表示される番組情報が含まれるチャンネルのこと。図４参照）に対応したボタンである。ボタン４０５は、画面４００内でボタン４０１の右側に配置され、再生中の番組を放送したチャンネルの右側に隣接したチャンネル（チャンネル録画一覧の第１の番組選択メニュー内で、再生中の番組を表す番組情報の右側に表示される番組情報が含まれるチャンネルのこと。図４参照）に対応したボタンである。
【０１２８】
なお、図４に例示したチャンネル録画一覧の第１の番組選択メニューの画面１００では、カーソル１０３は左端にあるが、カーソル１０３をさらに左に移動させると、カーソル１０３はチャンネルＣＨ６の位置に移動するものとする。このとき、表示されている番組情報が全体的に右方向にスライドしてもよい。このように、図４に例示したチャンネル録画一覧の第１の番組選択メニューの画面１００では、チャンネルＣＨ１の配列の左側にはチャンネルＣＨ６の配列が配置され、チャンネルＣＨ６の配列の右側にはチャンネルＣＨ１の配列が配置されているものとする。また、画面１００では、カーソル１０３は上端にあるが、カーソル１０３を上に移動させると、表示されている番組情報が全体的に下方向にスライドし、１８時台の番組情報が表示され、カーソル１０３は１８時台の番組情報の位置に移動するものとする。
【０１２９】
ボタン４０２には、再生中の番組の直前の時間の番組の番組情報の一部である録画日時およびタイトル名が表示される。ボタン４０３には、再生中の番組の直後の時間の番組の番組情報の一部である録画日時およびタイトル名が表示される。ボタン４０４には、図４に示したチャンネル録画一覧の第１の番組選択メニューにおいて、再生中の番組の番組情報が含まれるチャンネルの左側に隣接するチャンネル（左側に隣接するチャンネルが存在しない場合には、チャンネル録画一覧の第１の番組選択メニューにおいて右端に表示されるチャンネル）を表す文字列を表示する。ボタン４０５は、図４のチャンネル録画一覧において、再生中の番組の番組情報が含まれるチャンネルの右側に隣接するチャンネル（右側に隣接するチャンネルが存在しない場合には、チャンネル録画一覧の第１の番組選択メニューにおいて左端に表示されるチャンネル）を表す文字列を表示する。
【０１３０】
ユーザは、リモートコントローラ２のカーソルキー５１を用いて、チャンネル録画一覧の第３の番組選択メニュー内でカーソル４０６を移動させ、第３の番組選択メニューに表示された複数のボタンのうちの１つのボタンを選択することができる。すなわち、ユーザは、第３の番組選択メニューに表示された複数の番組情報のうちの１つの番組情報を選択することができる。以下、第３の番組選択メニュー上でユーザにより行われる番組情報の選択動作を「ザッピング」という。また、ザッピングを実現する機能を「ザッピング機能」という。
【０１３１】
ユーザが、ボタン４０４またはボタン４０５にカーソル４０６を移動させると、図４に例示したチャンネル録画一覧の第１の番組選択メニューにおいて、再生中の番組を含むチャンネルに隣接（右隣または左隣に隣接）するチャンネルに含まれる、再生中の番組の開始時刻と時間的に重複する番組が選択される。
【０１３２】
ユーザがカーソル４０６を移動させると、カーソル４０６の移動先のボタンがボタン４０１の位置に移動して新たなボタン４０１となり、カーソル４０６の移動先のボタンに対応した番組のサムネイル画像、チャンネル、録画日時、タイトル名、および番組内容情報が、新たにボタン４０１に表示される。そして、ボタン４０２〜４０５に表示される番組情報は、上述と同様にして、新たにボタン４０１に表示される番組情報に応じて更新される。録画再生装置１は、リモートコントローラ２の決定キー５２が押下されたとき、カーソル４０６で選択されたボタンに対応する番組の再生を開始する。
【０１３３】
図２２は、実施の形態１における録画再生装置１が図１４〜図１６に示すカテゴリ一覧の第１の番組選択メニューで選択された番組を再生している状態において、リモートコントローラ２の上／下／左／右キーのうちの１つが押下されたときに、ディスプレイ４（図１参照）に表示される画面４１０の一例を模式的に示す図である。図２２の画面４１０は、カテゴリ一覧の第３の番組選択メニューの一例を示したものである。
【０１３４】
カテゴリ一覧の第３の番組選択メニューは、カテゴリ一覧の複数の番組情報の配列において、再生中の番組の番組情報に隣接する少なくとも１つの番組情報を含む。例えば、カテゴリ一覧の第３の番組選択メニューは、再生中の番組が属するカテゴリの配列（例えば、図２０に示す詳細メニュー３６１の配列）において、再生中の番組の直前の番組および直後の番組のそれぞれの番組情報（例えば、図２０に示す詳細メニュー３６１の配列において、再生中の番組の番組情報の直上に配列された番組情報および直下に配列された番組情報）を含む。
【０１３５】
カテゴリ一覧の第３の番組選択メニューの一例の画面４１０は、画面４１０の中央に、再生中の番組に対応したボタン４１１を備える。ボタン４１１には、その番組のサムネイル画像、チャンネル、録画日時、タイトル名、および番組内容情報が表示される。
【０１３６】
カテゴリ一覧の第３の番組選択メニューは、さらに、ボタン４１２およびボタン４１３を含む。ボタン４１２は、画面４１０内でボタン４１１の上側に配置され、再生中の番組の直前の番組（例えば、図２０に示す詳細メニュー３６１の配列で、再生中の番組を表す番組情報の直上に表示される番組情報で表される番組）に対応したボタンである。ボタン４１３は、画面４１０内でボタン４１１の下側に配置され、再生中の番組の直後の番組（例えば、図２０に示す詳細メニュー３６１の配列で、再生中の番組を表す番組情報の直下に表示される番組情報で表される番組）に対応したボタンである。
【０１３７】
ボタン４１２には、再生中の番組の直前の番組の番組情報の一部である録画日時およびタイトル名が表示される。ボタン４１３には、再生中の番組の直後の番組の番組情報の一部である録画日時およびタイトル名が表示される。
【０１３８】
ユーザは、リモートコントローラ２のカーソルキー５１を用いて、カテゴリ一覧の第３の番組選択メニュー内でカーソル４１４を移動させ、第３の番組選択メニューに表示された複数のボタンのうちの１つのボタンを選択することができる。すなわち、ユーザは、第３の番組選択メニューに表示された複数の番組情報のうちの１つの番組情報を選択することができる。本実施の形態においては、この選択動作もザッピングといい、このザッピングを実現する機能もザッピング機能という。
【０１３９】
ユーザがカーソル４１４を移動させると、カーソル４１４の移動先のボタンがボタン４１１の位置に移動して新たなボタン４１１となり、カーソル４１４の移動先のボタンに対応した番組のサムネイル画像、チャンネル、録画日時、タイトル名、および番組内容情報が、新たにボタン４１１に表示される。そして、ボタン４１２、４１３に表示される番組情報は、上述と同様にして、新たにボタン４１１に表示される番組情報に応じて更新される。録画再生装置１は、リモートコントローラ２の決定キー５２が押下されたとき、カーソル４１４で選択されたボタンに対応する番組のサムネイル画像の再生を開始する。
【０１４０】
なお、ユーザがカテゴリ一覧の第３の番組選択メニューを用いて番組を選択するとき、カーソルキー５１の左キーおよび右キーは無効であってもよい。
【０１４１】
なお、上述の説明では、カテゴリ一覧の第３の番組選択メニューが表示されているとき、リモートコントローラ２の決定キー５２が押下されることで、カーソル４１４で選択されたボタンに対応する番組のサムネイル画像の再生が開始される動作例を説明したが、本実施の形態はこの動作例に限定されない。例えば、カテゴリ一覧の第３の番組選択メニューが表示されているとき、カーソル４１４の移動先のボタンに対応する番組の映像の再生が即時に開始されてもよい。
【０１４２】
なお、図２２に例示したカテゴリ一覧の第３の番組選択メニューは、図２０に例示した詳細メニュー３６１の「よくみる番組  ドラマ」のカテゴリの配列に対応するものであるが、これは単なる一例に過ぎない。また、図２２に例示したカテゴリ一覧の第３の番組選択メニューの画面４１０には、リモートコントローラ２のカーソルキー５１の左キーおよび右キーに対応するボタンは表示されていないが、カーソルキー５１の左キーおよび右キーを使用して他のカテゴリへ移動するためのボタンが画面４１０に追加されてもよい。例えば、図１９に例示したカテゴリ一覧の詳細メニュー３５１における他のカテゴリ（例えば、「よくみる番組  ドラマ」のカテゴリの左右に隣接する「よくみる番組  すべて」および「よくみる番組  アニメ」のカテゴリ）を選択するためのボタンが図２２に示す画面４１０に追加され、カーソルキー５１の左キーおよび右キーが使用されることでこれらのカテゴリが選択されてもよい。
【０１４３】
［１−２−６．ザッピングを用いた番組の再生−２］
次に、第３の番組選択メニューの他の一例を、図２３、図２４を用いて説明する。
【０１４４】
上述したように、図２２に例示したカテゴリ一覧の第３の番組選択メニューの画面４１０は、図２０に例示した詳細メニュー３６１の「よくみる番組  ドラマ」のカテゴリにおいて配列された複数の番組情報に対応するものである。図２０に例示した詳細メニュー３６１では、複数の番組情報は、詳細メニュー３６１内で上下方向に時系列に配列されており、左右方向には配列されていない。そのため、図２２に例示する画面４１０には、カーソルキー５１の上キーおよび下キーに対応するボタンのみが表示され、カーソルキー５１の左キーおよび右キーに対応するボタンは表示されていない。
【０１４５】
以下では、カーソルキー５１の左キーおよび右キーを使用して他のカテゴリへ移動するためのボタンが追加された第３の番組選択メニューの例を、図２３、図２４を用いて説明する。図２３、図２４には、カーソルキー５１の上／下／左／右キーのそれぞれに対応するボタンが表示された第３の番組選択メニューを例示する。
【０１４６】
図２３は、実施の形態１における録画再生装置１が図１４〜図１６に示すカテゴリ一覧の第１の番組選択メニューで選択された番組を再生している状態において、リモートコントローラ２の上／下／左／右キーのうちの１つが押下されたときに、ディスプレイ４（図１参照）に表示される画面４２０の一例を模式的に示す図である。図２３の画面４２０は、カテゴリ一覧の第３の番組選択メニューの一例を示したものである。
【０１４７】
図２３、図２４に示すカテゴリ一覧の第３の番組選択メニューは、カテゴリ一覧の第１の番組選択メニューにおいてジャンル毎に分類されたボタンの配列や、カテゴリ一覧の第２の番組選択メニューにおいてジャンル毎に分類されたアイコンの配列に対応するものである。例えば、図２３に例示するカテゴリ一覧の第３の番組選択メニューの画面４２０は、図１５に示すカテゴリ一覧の第１の番組選択メニューの画面３１０においてジャンル毎に分類されたボタンの配列、または図１９に示すカテゴリ一覧の第２の番組選択メニューの画面３５０においてジャンル毎に分類されたアイコンの配列に対応するものである。
【０１４８】
図２３に例示する画面４２０には、中央に、カテゴリ一覧でジャンル毎に分類された複数の番組情報のうちの、バラエティに属する１つの番組情報が示す番組に対応したボタン４２１が表示されている。ボタン４２１には、その番組のサムネイル画像、チャンネル、録画日時、タイトル名、および番組内容情報が表示されている。
【０１４９】
さらに、図２３に例示するカテゴリ一覧の第３の番組選択メニューの画面４２０は、ボタン４２１の上下の領域にボタン４２２およびボタン４２３を含み、ボタン４２１の左右の領域にボタン４２４およびボタン４２５を含む。ボタン４２２は、ボタン４２１に表示された番組が属するジャンルと同じジャンルに属する番組であって、ボタン４２１に表示された番組に対して時系列的に直前の番組に対応したボタンであり、ボタン４２３は同様にして直後の番組に対応したボタンである。
【０１５０】
ボタン４２４およびボタン４２５は、それぞれが、ボタン４２１が表すジャンルとは異なるジャンルを表す。例えば、ボタン４２４は、図１５に示す画面３１０において、ボタン４２１に表示された番組が属するジャンル（例えば、バラエティ）を表すボタン３１４の左隣のボタン３１３が表すジャンル（例えば、映画）、または、図１９に示す画面３５０において、ボタン４２１に表示された番組が属するジャンル（例えば、バラエティ）を表すアイコン３５８ｂの左隣のアイコン３５８ａが表すジャンル（例えば、映画）に対応したボタンである。ボタン４２５は、同様にして右隣のジャンル（例えば、アニメ／特撮）に対応したボタンである。
【０１５１】
このように、カテゴリ一覧の第３の番組選択メニューには、その第３の番組選択メニューと同じ分類方法で分類されたカテゴリ一覧の第１の番組選択メニューの画面３１０におけるジャンル毎のボタンの配列、またはカテゴリ一覧の第２の番組選択メニューの画面３５０におけるジャンル毎のアイコンの配列と同様に、画面４２０のボタン４２１の左の領域には、例えば「ジャンル  映画」に対応するボタン４２４が表示され、画面４２０のボタン４２１の右の領域には、例えば「ジャンル  アニメ／特撮」に対応するボタン４２５が表示されている。
【０１５２】
すなわち、カテゴリ一覧の第３の番組選択メニューの画面４２０におけるボタン４２４、４２５の配列は、図１５に示すカテゴリ一覧の第１の番組選択メニューの画面３１０におけるボタンの配列、または、図１９に示すカテゴリ一覧の第２の番組選択メニューの画面３５０におけるアイコンの配列、と同期している。例えば、図１５に示す画面３１０におけるボタンの配列の例では、「ジャンル  バラエティ」のボタン３１４の、左側に「ジャンル  映画」のボタン３１３が配列され、右側に「ジャンル  アニメ／特撮」のボタン３１５が配列されている。図１９に示す画面３５０におけるアイコンの配列の例では、「ジャンル  バラエティ」のアイコン３５８ｂの、左側に「ジャンル  映画」のアイコン３５８ａが配列され、右側に「ジャンル  アニメ／特撮」のアイコン３５８ｃが配列されている。そして、画面４２０において、ボタン４２４、４２５の配列はそれらの配列と同期しており、ボタン４２４、４２５にはそれぞれが対応するジャンル名が表示される。例えば、ボタン４２４には、ジャンルの名称の「映画」が表示され、ボタン４２５には、ジャンルの名称の「アニメ／特撮」が表示されている。
【０１５３】
ボタン４２２には、再生中の番組の直前の番組（ボタン４２１に表示された番組が属するジャンルと同じジャンルに属する番組であって、ボタン４２１に表示された番組に対して時系列的に直前の番組）の番組情報の録画日時およびタイトル名が表示される。ボタン４２３には、再生中の番組の直後の番組（ボタン４２１に表示された番組が属するジャンルと同じジャンルに属する番組であって、ボタン４２１に表示された番組に対して時系列的に直後の番組）の番組情報の録画日時およびタイトル名が表示される。
【０１５４】
カテゴリ一覧の第３の番組選択メニューの画面４２０において、ユーザが、リモートコントローラ２のカーソルキー５１を用いてカーソル４２６を移動させると、カーソル４２６の移動先のボタンがボタン４２１の位置に移動して新たなボタン４２１となり、カーソル４２６の移動先のボタンに対応した番組のサムネイル画像、チャンネル、録画日時、タイトル名、および番組内容情報が、新たにボタン４２１に表示される。そして、ボタン４２２〜４２５に表示される番組情報は、上述と同様にして、新たにボタン４２１に表示される番組情報に応じて更新される。
【０１５５】
例えば、ユーザがカーソル４２６をボタン４２１の左方向に移動させると、カーソル４２６の移動先のボタン４２４が画面４２０の中央に移動し、新たなボタン４２１となる。そして、移動前のボタン４２４に対応した番組（例えば、「ジャンル  映画」に属する番組）のサムネイル画像、チャンネル、録画日時、タイトル名、および番組内容情報が、新たにボタン４２１に表示され、ボタン４２２〜４２５に表示される番組情報は、新たにボタン４２１に表示される番組情報に応じて更新される。
【０１５６】
次に、図２３に例示する画面４２０のボタン４２４が、画面４２０の中央に移動した場合にディスプレイ４に表示されるカテゴリ一覧の第３の番組選択メニューの画面の一例（画面４３０）を、図２４に示す。
【０１５７】
図２４は、実施の形態１における録画再生装置１において、図２３に示した画面４２０がユーザに操作されることによりディスプレイ４（図１参照）に表示される画面４３０の一例を模式的に示す図である。図２４の画面４３０は、カテゴリ一覧の第３の番組選択メニューの一例を示したものである。
【０１５８】
図２４に例示する画面４３０では、画面４３０の中央のボタン４３１に、「ジャンル  映画」に属する番組情報（サムネイル画像、チャンネル、録画日時、タイトル名、および番組内容情報）が表示されている。図１５に示す画面３１０において、「ジャンル  映画」を表すボタン３１３の左隣には「ジャンル  ドラマ」を表すボタン３１６が配列され、右隣には「ジャンル  バラエティ」を表すボタン３１４が配列されている。または、図１９に示す画面３５０において、「ジャンル  映画」を表すアイコン３５８ａの左隣には「ジャンル  ドラマ」を表すアイコン３５８ｄが配列され、右隣には「ジャンル  バラエティ」を表すアイコン３５８ｂが配列されている。したがって、画面４３０では、ボタン４３１の左側に配列されたボタン４３４には、ジャンルの名称の「ドラマ」が表示され、ボタン４３１の右側に配列されたボタン４３５には、ジャンルの名称の「バラエティ」が表示されている。
【０１５９】
一方、カテゴリ一覧の第３の番組選択メニューの画面４２０において、ユーザが、リモートコントローラ２のカーソルキー５１を用いてカーソル４２６をボタン４２１の右方向に移動させると、カーソル４２６の移動先のボタン４２５が画面４２０の中央に移動し、新たなボタン４２１となる。そして、移動前のボタン４２５に対応した番組（例えば、「ジャンル  アニメ／特撮」に属する番組）のサムネイル画像、チャンネル、録画日時、タイトル名、および番組内容情報が、新たにボタン４２１に表示される。そして、ボタン４２２〜４２５に表示される番組情報は、新たにボタン４２１に表示される番組情報に応じて更新される。図示はしないが、図２３に示すボタン４２５が画面４２０の中央に移動して新たなボタン４２１となったカテゴリ一覧の第３の番組選択メニューでは、図１５に示す画面３１０におけるボタンの配列、または、図１９に示す画面３５０におけるアイコンの配列に基づき、ボタン４２１の左側に配列されたボタン４２４にはジャンルの名称の「バラエティ」が新たに表示され、ボタン４２１の右側に配列されたボタン４２５にはジャンルの名称の「音楽」が新たに表示される。
【０１６０】
このように、カテゴリ一覧の第３の番組選択メニューに示されるボタンの配列は、図１４〜図１６に例示したカテゴリ一覧の第１の番組選択メニューにおけるジャンルを示すボタンの配列、または図１９に例示したカテゴリ一覧の第２の番組選択メニューにおけるジャンルを示すアイコンの配列に関連している。
【０１６１】
［１−２−７．再生の終了］
制御回路３１は、録画された番組の再生が終了したときに、再生が終了した番組が選択されたときに用いられた第１の番組選択メニューまたは第２の番組選択メニューと同じ分類方法による第１の番組選択メニューをディスプレイ４に表示させる。
【０１６２】
制御回路３１は、番組の再生の終了後にディスプレイ４に表示された第１の番組選択メニューにおいて、再生が終了した番組を強調表示してもよい。
【０１６３】
［１−２−８．フローチャート］
次に、図２５〜図３１を参照して、録画再生装置１の動作について説明する。
【０１６４】
図２５は、実施の形態１における録画再生装置１が備える制御回路３１によって実行される番組再生処理の一例を示すフローチャートである。
【０１６５】
制御回路３１は、再生開始処理を実行し、録画された複数の番組のうちの１つの番組の再生を開始する（ステップＳ１）。ステップＳ１の再生開始処理の詳細は後述する。
【０１６６】
次に、制御回路３１は、第２の番組選択メニューの呼び出しを指示するユーザコマンドを受信したか否か（すなわち、リモートコントローラ２の再生メニューキー５６が押下されたか否か）を判定する（ステップＳ２）。
【０１６７】
ステップＳ２において、第２の番組選択メニューの呼び出しを指示するユーザコマンドが受信されたと判定された場合（ステップＳ２でＹＥＳ）は、制御回路３１は、番組再選択処理を実行する（ステップＳ３）。制御回路３１は、必要に応じて、再生中の番組とは異なる他の番組の再生を開始する。ステップＳ３の番組再選択処理の詳細は後述する。制御回路３１は、ステップＳ３の処理を実行した後は、処理をステップＳ２に戻す。
【０１６８】
ステップＳ２において、第２の番組選択メニューの呼び出しを指示するユーザコマンドは受信されていないと判定された場合（ステップＳ２でＮＯ）は、制御回路３１は、第３の番組選択メニューの呼び出しを指示するユーザコマンドを受信したか否か（すなわち、録画された番組が再生されている状態において、リモートコントローラ２のカーソルキー５１の上／下／左／右キーが押下されたか否か）を判定する（ステップＳ４）。
【０１６９】
ステップＳ４において、第３の番組選択メニューの呼び出しを指示するユーザコマンドが受信されたと判定された場合（ステップＳ４でＹＥＳ）は、制御回路３１は、番組ザッピング処理を実行する（ステップＳ５）。制御回路３１は、必要に応じて、再生中の番組とは異なる他の番組の再生を開始する。ステップＳ５の番組ザッピング処理の詳細は後述する。制御回路３１は、ステップＳ５の処理を実行した後は、処理をステップＳ２に戻す。
【０１７０】
ステップＳ４において、第３の番組選択メニューの呼び出しを指示するユーザコマンドは受信されていないと判定された場合（ステップＳ４でＮＯ）は、制御回路３１は、番組の再生の停止を指示するユーザコマンドを受信したか否か（すなわち、リモートコントローラ２の停止キー５８（図２参照）が押下されたか否か）を判定する（ステップＳ６）。
【０１７１】
ステップＳ６において、番組の再生の停止を指示するユーザコマンドは受信されていないと判定された場合（ステップＳ６でＮＯ）は、制御回路３１は、再生中の番組が終了したか否か（すなわち、再生中の番組が最後まで再生されたか否か）を判定する（ステップＳ７）。
【０１７２】
ステップＳ７において、再生中の番組は終了していないと判定された場合（ステップＳ７でＮＯ）は、制御回路３１は、処理をステップＳ２に戻す。
【０１７３】
ステップＳ６において、番組の再生の停止を指示するユーザコマンドが受信されたと判定された場合（ステップＳ６でＹＥＳ）、または、ステップＳ７において、再生中の番組が終了したと判定された場合（ステップＳ７でＹＥＳ）は、制御回路３１は、再生終了処理を実行し、チャンネル録画一覧、通常録画一覧、およびカテゴリ一覧のうちの１つをディスプレイ４に表示させる（ステップＳ８）。ステップＳ８の再生終了処理の詳細は後述する。
【０１７４】
次に、ステップＳ１の再生開始処理について説明する。
【０１７５】
図２６は、実施の形態１における録画再生装置１が備える制御回路３１によって実行される再生開始処理のサブルーチンの一例を示すフローチャートである。
【０１７６】
ステップＳ１の再生開始処理が開始されると、制御回路３１は、チャンネル録画一覧の表示を指示するユーザコマンドを受信したか否か（すなわち、録画された番組を再生していない状態において、リモートコントローラ２のチャンネル録画一覧キー５３が押下されたか否か）を判定する（ステップＳ１１）。
【０１７７】
ステップＳ１１において、チャンネル録画一覧の表示を指示するユーザコマンドが受信されたと判定された場合（ステップＳ１１でＹＥＳ）は、制御回路３１は、チャンネル録画一覧の第１の番組選択メニュー（図４参照）をディスプレイ４に表示する（ステップＳ１２）。
【０１７８】
次に、制御回路３１は、チャンネル録画一覧の第１の番組選択メニューにおいてカーソル１０３で選択されている番組情報に対応する番組（以下、「選択中の番組」という）の再生を指示するユーザコマンドを受信したか否か（すなわち、リモートコントローラ２の決定キー５２が押下されたか否か）を判定する（ステップＳ１３）。
【０１７９】
ステップＳ１３において、選択中の番組の再生を指示するユーザコマンドは受信されていないと判定された場合（ステップＳ１３でＮｏ）は、制御回路３１は、処理をステップＳ１２に戻す。
【０１８０】
ステップＳ１３において、選択中の番組の再生を指示するユーザコマンドが受信されたと判定された場合（ステップＳ１３でＹＥＳ）は、制御回路３１は、選択中の番組の再生を開始（図５参照）する（ステップＳ１４）。
【０１８１】
次に、制御回路３１は、チャンネル録画一覧の第１の番組選択メニューで選択された番組を再生中であることを記憶する（ステップＳ１５）。その後、制御回路３１は、再生開始処理のサブルーチンをリターンし、処理を図２５に示したステップＳ２に戻す。
【０１８２】
ステップＳ１１において、チャンネル録画一覧の表示を指示するユーザコマンドは受信されていないと判定された場合（ステップＳ１１でＮＯ）は、制御回路３１は、通常録画一覧の表示を指示するユーザコマンドを受信したか否か（すなわち、録画された番組を再生していない状態において、リモートコントローラ２の通常録画一覧キー５４が押下されたか否か）を判定する（ステップＳ１６）。
【０１８３】
ステップＳ１６において、通常録画一覧の表示を指示するユーザコマンドが受信されたと判定された場合（ステップＳ１６でＹＥＳ）は、制御回路３１は、通常録画一覧の第１の番組選択メニュー（図９参照）をディスプレイ４に表示する（ステップＳ１７）。
【０１８４】
次に、制御回路３１は、通常録画一覧の第１の番組選択メニューにおいてカーソル２０４で選択されている番組情報に対応する番組（以下、「選択中の番組」という）の再生を指示するユーザコマンドを受信したか否か（すなわち、リモートコントローラ２の決定キー５２が押下されたか否か）を判定する（ステップＳ１８）。
【０１８５】
ステップＳ１８において、選択中の番組の再生を指示するユーザコマンドは受信されていないと判定された場合（ステップＳ１８でＮｏ）は、制御回路３１は、処理をステップＳ１７に戻す。
【０１８６】
ステップＳ１８において、選択中の番組の再生を指示するユーザコマンドが受信されたと判定された場合（ステップＳ１８でＹＥＳ）は、制御回路３１は、選択中の番組の再生を開始（図１０参照）する（ステップＳ１９）。
【０１８７】
次に、制御回路３１は、通常録画一覧の第１の番組選択メニューで選択された番組を再生中であることを記憶する（ステップＳ２０）。その後、制御回路３１は、再生開始処理のサブルーチンをリターンし、処理を図２５に示したステップＳ２に戻す。
【０１８８】
ステップＳ１６において、通常録画一覧の表示を指示するユーザコマンドは受信されていないと判定された場合（ステップＳ１６でＮＯ）は、制御回路３１は、カテゴリ一覧の表示を指示するユーザコマンドを受信したか否か（すなわち、録画された番組を再生していない状態において、リモートコントローラ２のカテゴリ一覧キー５５が押下されたか否か）を判定する（ステップＳ２１）。
【０１８９】
ステップＳ２１において、カテゴリ一覧の表示を指示するユーザコマンドは受信されていないと判定された場合（ステップＳ２１でＮＯ）は、制御回路３１は、処理をステップＳ１１に戻す。
【０１９０】
ステップＳ２１において、カテゴリ一覧の表示を指示するユーザコマンドが受信されたと判定された場合（ステップＳ２１でＹＥＳ）は、制御回路３１は、カテゴリ一覧の第１の番組選択メニュー（図１４〜図１６参照）をディスプレイ４に表示する（ステップＳ２２）。
【０１９１】
次に、制御回路３１は、カテゴリ一覧の第１の番組選択メニューにおいてカーソル３０４で選択されている番組情報に対応する番組（以下、「選択中の番組」という）の再生を指示するユーザコマンドを受信したか否か（すなわち、リモートコントローラ２の決定キー５２が押下されたか否か）を判定する（ステップＳ２３）。
【０１９２】
ステップＳ２３において、選択中の番組の再生を指示するユーザコマンドは受信されていないと判定された場合（ステップＳ２３でＮｏ）は、制御回路３１は、処理をステップＳ２２に戻す。
【０１９３】
ステップＳ２３において、選択中の番組の再生を指示するユーザコマンドが受信されたと判定された場合（ステップＳ２３でＹＥＳ）は、制御回路３１は、選択中の番組の再生を開始（図１７参照）する（ステップＳ２４）。
【０１９４】
次に、制御回路３１は、カテゴリ一覧の第１の番組選択メニューで選択された番組を再生中であることを記憶する（ステップＳ２５）。その後、制御回路３１は、再生開始処理のサブルーチンをリターンし、処理を図２５に示したステップＳ２に戻す。
【０１９５】
次に、ステップＳ３の番組再選択処理について説明する。
【０１９６】
図２７は、実施の形態１における録画再生装置１が備える制御回路３１によって実行される番組再選択処理のサブルーチンの一例を示すフローチャートである。
【０１９７】
ステップＳ３の番組再選択処理が開始されると、制御回路３１は、再生中の番組が選択されたときに用いられた番組選択メニューと同じ分類方法による第２の番組選択メニュー（図６、図１１、または図１８参照）をディスプレイ４に表示する（ステップＳ３１）。
【０１９８】
次に、制御回路３１は、ディスプレイ４の画面４０の上辺に沿った詳細メニューの表示を指示するユーザコマンドを受信したか否か（すなわち、リモートコントローラ２のカーソルキー５１の上キーが押下されたか否か）を判定する（ステップＳ３２）。
【０１９９】
ステップＳ３２において、画面４０の上辺に沿った詳細メニューの表示を指示するユーザコマンドが受信されたと判定された場合（ステップＳ３２でＹＥＳ）は、制御回路３１は、上メニュー再選択処理を実行する（ステップＳ３３）。ステップＳ３３の上メニュー再選択処理の詳細は後述する。
【０２００】
制御回路３１は、ステップＳ３３の処理を実行した後は、番組再選択処理のサブルーチンをリターンし、処理を図２５に示したステップＳ２に戻す。
【０２０１】
ステップＳ３２において、画面４０の上辺に沿った詳細メニューの表示を指示するユーザコマンドは受信されていないと判定された場合（ステップＳ３２でＮＯ）は、制御回路３１は、ディスプレイ４の画面４０の左辺に沿った詳細メニューの表示を指示するユーザコマンドを受信したか否か（すなわち、リモートコントローラ２のカーソルキー５１の左キーが押下されたか否か）を判定する（ステップＳ３４）。
【０２０２】
ステップＳ３４において、画面４０の左辺に沿った詳細メニューの表示を指示するユーザコマンドは受信されていないと判定された場合（ステップＳ３４でＮＯ）は、制御回路３１は、番組再選択処理のサブルーチンをリターンし、処理を図２５に示したステップＳ２に戻す。
【０２０３】
ステップＳ３４において、画面４０の左辺に沿った詳細メニューの表示を指示するユーザコマンドが受信されたと判定された場合（ステップＳ３４でＹＥＳ）は、制御回路３１は、左メニュー再選択処理を実行する（ステップＳ３５）。ステップＳ３５の左メニュー再選択処理の詳細は後述する。
【０２０４】
制御回路３１は、ステップＳ３５の処理を実行した後は、番組再選択処理のサブルーチンをリターンし、処理を図２５に示したステップＳ２に戻す。
【０２０５】
次に、ステップＳ３３の上メニュー再選択処理について説明する。
【０２０６】
図２８は、実施の形態１における録画再生装置１が備える制御回路３１によって実行される上メニュー再選択処理のサブルーチンの一例を示すフローチャートである。
【０２０７】
ステップＳ３３の上メニュー再選択処理が開始されると、制御回路３１は、チャンネル録画一覧（チャンネル録画一覧の、第１の番組選択メニュー、または第２の番組選択メニュー、または第３の番組選択メニュー）で選択された番組を再生中であるか否かを判定する（ステップＳ４１）。
【０２０８】
ステップＳ４１において、チャンネル録画一覧で選択された番組を再生中であると判定された場合（ステップＳ４１でＹＥＳ）は、制御回路３１は、チャンネル録画一覧の第２の番組選択メニューにおいて、ディスプレイ４の画面４０の上辺に沿った詳細メニュー１３１（図７参照）を表示する（ステップＳ４２）。
【０２０９】
次に、制御回路３１は、表示された詳細メニュー１３１において、再生中の番組が放送されたチャンネルに対応したボタンを、例えばカーソル１３２等により、強調表示（図７参照）する（ステップＳ４３）。
【０２１０】
カーソル１３２はユーザコマンドにより移動可能である。
【０２１１】
次に、制御回路３１は、チャンネル録画一覧の第２の番組選択メニューの詳細メニュー１３１においてカーソル１３２で選択されているボタンに対応するチャンネル（以下、「選択中のチャンネル」という）の番組の再生を指示するユーザコマンドを受信したか否か（すなわち、リモートコントローラ２の決定キー５２が押下されたか否か）を判定する（ステップＳ４４）。
【０２１２】
ステップＳ４４において、選択中のチャンネルの番組の再生を指示するユーザコマンドは受信されていないと判定された場合（ステップＳ４４でＮＯ）は、制御回路３１は、上メニュー再選択処理のサブルーチンをリターンし、処理を図２５に示したステップＳ２に戻す。
【０２１３】
ステップＳ４４において、選択中のチャンネルの番組の再生を指示するユーザコマンドが受信されたと判定された場合（ステップＳ４４でＹＥＳ）は、制御回路３１は、選択中のチャンネルの番組の再生を開始する（ステップＳ４５）。その後、制御回路３１は、上メニュー再選択処理のサブルーチンをリターンし、処理を図２５に示したステップＳ２に戻す。
【０２１４】
ステップＳ４１において、チャンネル録画一覧で選択された番組を再生中ではないと判定された場合（ステップＳ４１でＮＯ）は、制御回路３１は、通常録画一覧（通常録画一覧の、第１の番組選択メニュー、または第２の番組選択メニュー、または第３の番組選択メニュー）で選択された番組を再生中であるか否かを判定する（ステップＳ４６）。
【０２１５】
ステップＳ４６において、通常録画一覧で選択された番組を再生中であると判定された場合（ステップＳ４６でＹＥＳ）は、制御回路３１は、通常録画一覧の第２の番組選択メニューにおいて、ディスプレイ４の画面４０の上辺に沿った詳細メニュー２３１（図１２参照）を表示する（ステップＳ４７）。
【０２１６】
次に、制御回路３１は、表示された詳細メニュー２３１において、再生中の番組のタブに対応したボタンを、例えばカーソル２３２等により、強調表示（図１２参照）する（ステップＳ４８）。
【０２１７】
カーソル２３２はユーザコマンドにより移動可能である。
【０２１８】
次に、制御回路３１は、通常録画一覧の第２の番組選択メニューの詳細メニュー２３１においてカーソル２３２で選択されているボタンに対応するタブ（以下、「選択中のタブ」という）の番組の再生を指示するユーザコマンドを受信したか否か（すなわち、リモートコントローラ２の決定キー５２が押下されたか否か）を判定する（ステップＳ４９）。
【０２１９】
ステップＳ４９において、選択中のタブの番組の再生を指示するユーザコマンドは受信されていないと判定された場合（ステップＳ４９でＮＯ）は、制御回路３１は、上メニュー再選択処理のサブルーチンをリターンし、処理を図２５に示したステップＳ２に戻す。
【０２２０】
ステップＳ４９において、選択中のタブの番組の再生を指示するユーザコマンドが受信されたと判定された場合（ステップＳ４９でＹＥＳ）は、制御回路３１は、選択中のタブの番組の再生を開始する（ステップＳ５０）。その後、制御回路３１は、上メニュー再選択処理のサブルーチンをリターンし、処理を図２５に示したステップＳ２に戻す。
【０２２１】
ステップＳ４６において、通常録画一覧で選択された番組を再生中ではないと判定された場合（ステップＳ４６でＮＯ）は、制御回路３１は、カテゴリ一覧で選択された番組を再生中である。このとき、制御回路３１は、カテゴリ一覧の第２の番組選択メニューにおいて、ディスプレイ４の画面４０の上辺に沿った詳細メニュー３５１（図１９参照）を表示する（ステップＳ５１）。
【０２２２】
次に、制御回路３１は、表示された詳細メニュー３５１において、再生中の番組のカテゴリに対応したボタンを、例えばカーソル３５５等により、強調表示（図１９参照）する（ステップＳ５２）。
【０２２３】
カーソル３５５はユーザコマンドにより移動可能である。
【０２２４】
次に、制御回路３１は、カテゴリ一覧の第２の番組選択メニューの詳細メニュー３５１においてカーソル３５５で選択されているボタンに対応するカテゴリ（以下、「選択中のカテゴリ」という）の番組の再生を指示するユーザコマンドを受信したか否か（すなわち、リモートコントローラ２の決定キー５２が押下されたか否か）を判定する（ステップＳ５３）。
【０２２５】
ステップＳ５３において、選択中のカテゴリの番組の再生を指示するユーザコマンドは受信されていないと判定された場合（ステップＳ５３でＮＯ）は、制御回路３１は、上メニュー再選択処理のサブルーチンをリターンし、処理を図２５に示したステップＳ２に戻す。
【０２２６】
ステップＳ５３において、選択中のカテゴリの番組の再生を指示するユーザコマンドが受信されたと判定された場合（ステップＳ５３でＹＥＳ）は、制御回路３１は、選択中のカテゴリの番組の再生を開始する（ステップＳ５４）。その後、制御回路３１は、上メニュー再選択処理のサブルーチンをリターンし、処理を図２５に示したステップＳ２に戻す。
【０２２７】
制御回路３１は、上メニュー再選択処理において、ディスプレイ４の画面４０の上辺に沿った詳細メニューを表示しているとき、表示されている詳細メニューを、ユーザコマンドに従い他の詳細メニューに切り替えてもよい。すなわち、制御回路３１は、上メニュー再選択処理において、ディスプレイ４の画面４０の上辺に沿って、チャンネル録画一覧の詳細メニュー１３１（図７参照）、カテゴリ一覧の詳細メニュー２３１（図１２参照）、および通常録画一覧の詳細メニュー３５１（図１９参照）のうちの１つを表示しているとき、表示されている詳細メニューを、ユーザコマンドに従い他の詳細メニューに切り替えてもよい。表示されている詳細メニューが、切り替え前の詳細メニューとは異なる分類方法による他の詳細メニューに切り替えられ、ユーザが、切り替え後の詳細メニューを用いて番組を選択して再生したときには、制御回路３１は、図２６に示したステップＳ１５、ステップＳ２０、およびステップＳ２５の処理と同様に、切り替え後の詳細メニューを用いて選択された番組を再生中であることを記憶する。
【０２２８】
次に、ステップＳ３５の左メニュー再選択処理について説明する。
【０２２９】
図２９は、実施の形態１における録画再生装置１が備える制御回路３１によって実行される左メニュー再選択処理のサブルーチンの一例を示すフローチャートである。
【０２３０】
ステップＳ３５の左メニュー再選択処理が開始されると、制御回路３１は、チャンネル録画一覧（チャンネル録画一覧の、第１の番組選択メニュー、または第２の番組選択メニュー、または第３の番組選択メニュー）で選択された番組を再生中であるか否かを判定する（ステップＳ６１）。
【０２３１】
ステップＳ６１において、チャンネル録画一覧で選択された番組を再生中であると判定された場合（ステップＳ６１でＹＥＳ）は、制御回路３１は、チャンネル録画一覧の第２の番組選択メニューにおいて、ディスプレイ４の画面４０の左辺に沿った詳細メニュー１４１（図８参照）を表示する（ステップＳ６２）。
【０２３２】
次に、制御回路３１は、表示された詳細メニュー１４１において、再生中の番組に対応したボタンを、例えばカーソル１４２等により、強調表示（図８参照）する（ステップＳ６３）。
【０２３３】
カーソル１４２はユーザコマンドにより移動可能である。
【０２３４】
次に、制御回路３１は、チャンネル録画一覧の第２の番組選択メニューの詳細メニュー１４１においてカーソル１４２で選択されているボタンに対応する番組（以下、「選択中の番組」という）の再生を指示するユーザコマンドを受信したか否か（すなわち、リモートコントローラ２の決定キー５２が押下されたか否か）を判定する（ステップＳ６４）。
【０２３５】
ステップＳ６４において、選択中の番組の再生を指示するユーザコマンドは受信されていないと判定された場合（ステップＳ６４でＮＯ）は、制御回路３１は、左メニュー再選択処理のサブルーチンをリターンし、処理を図２５に示したステップＳ２に戻す。
【０２３６】
ステップＳ６４において、選択中の番組の再生を指示するユーザコマンドが受信されたと判定された場合（ステップＳ６４でＹＥＳ）は、制御回路３１は、選択中の番組の再生を開始する（ステップＳ６５）。その後、制御回路３１は、左メニュー再選択処理のサブルーチンをリターンし、処理を図２５に示したステップＳ２に戻す。
【０２３７】
ステップＳ６１において、チャンネル録画一覧で選択された番組を再生中ではないと判定された場合（ステップＳ６１でＮＯ）は、制御回路３１は、通常録画一覧（通常録画一覧の、第１の番組選択メニュー、または第２の番組選択メニュー、または第３の番組選択メニュー）で選択された番組を再生中であるか否かを判定する（ステップＳ６６）。
【０２３８】
ステップＳ６６において、通常録画一覧で選択された番組を再生中であると判定された場合（ステップＳ６６でＹＥＳ）は、制御回路３１は、通常録画一覧の第２の番組選択メニューにおいて、ディスプレイ４の画面４０の左辺に沿った詳細メニュー２４１（図１３参照）を表示する（ステップＳ６７）。
【０２３９】
次に、制御回路３１は、表示された詳細メニュー２４１において、再生中の番組に対応したボタンを、例えばカーソル２４２等により、強調表示（図１３参照）する（ステップＳ６８）。
【０２４０】
カーソル２４２はユーザコマンドにより移動可能である。
【０２４１】
次に、制御回路３１は、通常録画一覧の第２の番組選択メニューの詳細メニュー２４１においてカーソル２４２で選択されているボタンに対応する番組（以下、「選択中の番組」という）の再生を指示するユーザコマンドを受信したか否か（すなわち、リモートコントローラ２の決定キー５２が押下されたか否か）を判定する（ステップＳ６９）。
【０２４２】
ステップＳ６９において、選択中の番組の再生を指示するユーザコマンドは受信されていないと判定された場合（ステップＳ６９でＮＯ）は、制御回路３１は、左メニュー再選択処理のサブルーチンをリターンし、処理を図２５に示したステップＳ２に戻す。
【０２４３】
ステップＳ６９において、選択中の番組の再生を指示するユーザコマンドが受信されたと判定された場合（ステップＳ６９でＹＥＳ）は、制御回路３１は、選択中の番組の再生を開始する（ステップＳ７０）。その後、制御回路３１は、左メニュー再選択処理のサブルーチンをリターンし、処理を図２５に示したステップＳ２に戻す。
【０２４４】
ステップＳ６６において、通常録画一覧で選択された番組を再生中ではないと判定された場合（ステップＳ６６でＮＯ）は、制御回路３１は、カテゴリ一覧で選択された番組を再生中である。このとき、制御回路３１は、カテゴリ一覧の第２の番組選択メニューにおいて、ディスプレイ４の画面４０の左辺に沿った詳細メニュー３６１（図２０参照）を表示する（ステップＳ７１）。
【０２４５】
次に、制御回路３１は、表示された詳細メニュー３６１において、再生中の番組に対応したボタンを、例えばカーソル３６２等により、強調表示（図２０参照）する（ステップＳ７２）。
【０２４６】
カーソル３６２はユーザコマンドにより移動可能である。
【０２４７】
次に、制御回路３１は、カテゴリ一覧の第２の番組選択メニューの詳細メニュー３６１においてカーソル３６２で選択されているボタンに対応する番組（以下、「選択中の番組」という）の再生を指示するユーザコマンドを受信したか否か（すなわち、リモートコントローラ２の決定キー５２が押下されたか否か）を判定する（ステップＳ７３）。
【０２４８】
ステップＳ７３において、選択中の番組の再生を指示するユーザコマンドは受信されていないと判定された場合（ステップＳ７３でＮＯ）は、制御回路３１は、左メニュー再選択処理のサブルーチンをリターンし、処理を図２５に示したステップＳ２に戻す。
【０２４９】
ステップＳ７３において、選択中の番組の再生を指示するユーザコマンドが受信されたと判定された場合（ステップＳ７３でＹＥＳ）は、制御回路３１は、選択中の番組の再生を開始する（ステップＳ７４）。その後、制御回路３１は、左メニュー再選択処理のサブルーチンをリターンし、処理を図２５に示したステップＳ２に戻す。
【０２５０】
次に、図２５に示したステップＳ５の番組ザッピング処理について説明する。
【０２５１】
図３０は、実施の形態１における録画再生装置１が備える制御回路３１によって実行される番組ザッピング処理のサブルーチンの一例を示すフローチャートである。
【０２５２】
ステップＳ５の番組ザッピング処理が開始されると、制御回路３１は、チャンネル録画一覧（チャンネル録画一覧の、第１の番組選択メニュー、または第２の番組選択メニュー、または第３の番組選択メニュー）で選択された番組を再生中であるか否かを判定する（ステップＳ８１）。
【０２５３】
ステップＳ８１において、チャンネル録画一覧で選択された番組を再生中であると判定された場合（ステップＳ８１でＹＥＳ）は、制御回路３１は、チャンネル録画の第３の番組選択メニュー（図２１参照）をディスプレイ４に表示する（ステップＳ８２）。
【０２５４】
次に、制御回路３１は、リモートコントローラ２の上キーまたは下キーが押下されたか否かを判定する（ステップＳ８３）。
【０２５５】
ステップＳ８３において、リモートコントローラ２の上キーまたは下キーが押下されたと判定された場合（ステップＳ８３でＹＥＳ）は、制御回路３１は、チャンネル録画一覧の第１の番組選択メニュー（図４参照）において、再生中の番組に対して時間的に前の番組または時間的に後の番組の番組情報を、チャンネル録画一覧の第３の番組選択メニューに表示する（ステップＳ８４）。
【０２５６】
ステップＳ８３において、リモートコントローラ２の上キーおよび下キーのどちらも押下されていないと判定された場合（ステップＳ８３でＮＯ）は、制御回路３１は、リモートコントローラ２の左キーまたは右キーが押下されたか否かを判定する（ステップＳ８５）。
【０２５７】
ステップＳ８５において、リモートコントローラ２の左キーおよび右キーのどちらも押下されていないと判定された場合（ステップＳ８５でＮＯ）は、制御回路３１は、処理をステップＳ８３に戻す。
【０２５８】
ステップＳ８５において、リモートコントローラ２の左キーまたは右キーが押下されたと判定された場合（ステップＳ８５でＹＥＳ）は、制御回路３１は、チャンネル録画一覧の第１の番組選択メニュー（図４参照）において、再生中の番組を放送したチャンネルの左のチャンネルまたは右のチャンネルの番組の情報を、チャンネル録画一覧の第３の番組選択メニューに表示する（ステップＳ８６）。
【０２５９】
次に、制御回路３１は、チャンネル録画一覧の第３の番組選択メニューにおいて選択されている番組情報に対応する番組（以下、「選択中の番組」という）の再生を指示するユーザコマンドを受信したか否か（すなわち、リモートコントローラ２の決定キー５２が押下されたか否か）を判定する（ステップＳ８７）。
【０２６０】
ステップＳ８７において、選択中の番組の再生を指示するユーザコマンドは受信されていないと判定された場合（ステップＳ８７でＮｏ）は、制御回路３１は、番組ザッピング処理のサブルーチンをリターンし、処理を図２５に示したステップＳ２に戻す。
【０２６１】
ステップＳ８７において、選択中の番組の再生を指示するユーザコマンドが受信されたと判定された場合（ステップＳ８７でＹＥＳ）は、制御回路３１は、選択中の番組の再生を開始する（ステップＳ８８）。その後、制御回路３１は、番組ザッピング処理のサブルーチンをリターンし、処理を図２５に示したステップＳ２に戻す。
【０２６２】
ステップＳ８１において、チャンネル録画一覧で選択された番組を再生中ではないと判定された場合（ステップＳ８１でＮＯ）は、制御回路３１は、カテゴリ一覧（カテゴリ一覧の、第１の番組選択メニュー、または第２の番組選択メニュー、または第３の番組選択メニュー）で選択された番組を再生中であるか否かを判定する。
【０２６３】
ステップＳ８９において、カテゴリ一覧で選択された番組を再生中ではないと判定された場合（ステップＳ８９でＮＯ）は、制御回路３１は、番組ザッピング処理のサブルーチンをリターンし、処理を図２５に示したステップＳ２に戻す。
【０２６４】
ステップＳ８９において、カテゴリ一覧で選択された番組を再生中であると判定された場合（ステップＳ８９でＹＥＳ）は、制御回路３１は、カテゴリ一覧の第３の番組選択メニュー（図２２参照）をディスプレイ４に表示する（ステップＳ９０）。
【０２６５】
次に、制御回路３１は、リモートコントローラ２の上キーまたは下キーが押下されたか否かを判定する（ステップＳ９１）。
【０２６６】
ステップＳ９１において、リモートコントローラ２の上キーおよび下キーのどちらも押下されていないと判定された場合（ステップＳ９１でＮＯ）は、制御回路３１は、番組ザッピング処理のサブルーチンをリターンし、処理を図２５に示したステップＳ２に戻す。
【０２６７】
ステップＳ９１において、リモートコントローラ２の上キーまたは下キーが押下されたと判定された場合（ステップＳ９１でＹＥＳ）は、制御回路３１は、カテゴリ一覧の第２の番組選択メニューの詳細メニュー３６１（図２０参照）において、再生中の番組に対して時間的に前の番組または時間的に後の番組の番組情報を、カテゴリ一覧の第３の番組選択メニューに表示する（ステップＳ９２）。
【０２６８】
次に、制御回路３１は、カテゴリ一覧の第３の番組選択メニューにおいて選択されている番組情報に対応する番組（以下、「選択中の番組」という）の再生を指示するユーザコマンドを受信したか否か（すなわち、リモートコントローラ２の決定キー５２が押下されたか否か）を判定する（ステップＳ９３）。
【０２６９】
ステップＳ９３において、選択中の番組の再生を指示するユーザコマンドは受信されていないと判定された場合（ステップＳ９３でＮｏ）は、制御回路３１は、番組ザッピング処理のサブルーチンをリターンし、処理を図２５に示したステップＳ２に戻す。
【０２７０】
ステップＳ９３において、選択中の番組の再生を指示するユーザコマンドが受信されたと判定された場合（ステップＳ９３でＹＥＳ）は、制御回路３１は、選択中の番組の再生を開始する（ステップＳ９４）。その後、制御回路３１は、番組ザッピング処理のサブルーチンをリターンし、処理を図２５に示したテップＳ２に戻す。
【０２７１】
次に、図２５に示したステップＳ８の再生終了処理について説明する。
【０２７２】
図３１は、実施の形態１における録画再生装置１が備える制御回路３１によって実行される再生終了処理のサブルーチンの一例を示すフローチャートである。
【０２７３】
制御回路３１は、チャンネル録画一覧（チャンネル録画一覧の、第１の番組選択メニュー、または第２の番組選択メニュー、または第３の番組選択メニュー）で選択された番組の再生を終了したか否かを判定する（ステップＳ１０１）。なお、番組の再生終了は、図２５に示したステップＳ６において、番組の再生の停止を指示するユーザコマンドが受信されたと判定された場合（ステップＳ６でＹＥＳ）に、制御回路３１により実行される。または、図２５に示したステップＳ７において、再生中の番組が終了したと判定された場合（ステップＳ７でＹＥＳ）に、制御回路３１は、番組の再生を終了したと判定する。
【０２７４】
ステップＳ１０１において、チャンネル録画一覧で選択された番組の再生が終了したと判定された場合（ステップＳ１０１でＹＥＳ）は、制御回路３１は、チャンネル録画一覧の第１の番組選択メニュー（図４参照）をディスプレイ４に表示する（ステップＳ１０２）。
【０２７５】
次に、制御回路３１は、チャンネル録画一覧の第１の番組選択メニューにおいて、再生を終了した番組を表す番組情報に対応するボタンを、例えばカーソル１０３等により、強調表示（図４参照）する（ステップＳ１０３）。その後、制御回路３１は、再生終了処理のサブルーチンをリターンし、処理を終了する。
【０２７６】
ステップＳ１０１において、再生が終了したのはチャンネル録画一覧で選択された番組ではないと判定された場合（ステップＳ１０１でＮＯ）は、制御回路３１は、通常録画一覧（通常録画一覧の、第１の番組選択メニュー、または第２の番組選択メニュー、または第３の番組選択メニュー）で選択された番組の再生を終了したか否かを判定する（ステップＳ１０４）。なお、ステップＳ１０４における番組の再生終了の判定は、ステップＳ１０１と実質的に同じであるので、説明を省略する。
【０２７７】
ステップＳ１０４において、通常録画一覧で選択された番組の再生が終了したと判定された場合（ステップＳ１０４でＹＥＳ）は、制御回路３１は、通常録画一覧の第１の番組選択メニュー（図９参照）をディスプレイ４に表示する（ステップＳ１０５）。
【０２７８】
次に、制御回路３１は、通常録画一覧の第１の番組選択メニューにおいて、再生を終了した番組を表す番組情報に対応するボタンを、例えばカーソル２０４等により、強調表示（図９参照）する（ステップＳ１０６）。その後、制御回路３１は、再生終了処理のサブルーチンをリターンし、処理を終了する。
【０２７９】
ステップＳ１０４において、再生が終了したのは通常録画一覧で選択された番組ではないと判定された場合（ステップＳ１０４でＮＯ）は、再生が終了したのはカテゴリ一覧（カテゴリ一覧の、第１の番組選択メニュー、または第２の番組選択メニュー、または第３の番組選択メニュー）で選択された番組である。このとき、制御回路３１は、カテゴリ一覧の第１の番組選択メニュー（図１４〜図１６参照）を表示する（ステップＳ１０７）。
【０２８０】
次に、制御回路３１は、カテゴリ一覧の第１の番組選択メニューにおいて、再生を終了した番組を表す番組情報に対応するボタンを、例えばカーソル３０４等により、強調表示（図１４参照）する（ステップＳ１０８）。その後、制御回路３１は、再生終了処理のサブルーチンをリターンし、処理を終了する。
【０２８１】
以上が、本実施の形態に例示する番組再生処理のフローチャートである。
【０２８２】
［１−３．効果等］
以上のように、本実施の形態において、録画再生装置は、ユーザ入力部と、受信部と、録画部と、再生部と、ユーザインターフェース生成部と、制御部と、を備える。ユーザ入力部は、ユーザコマンドを受け付ける。受信部は、複数の番組およびそれらの番組の番組情報を受信する。録画部は、受信された複数の番組および番組情報を記録媒体に録画する。再生部は、録画された番組を再生する。ユーザインターフェース生成部は、録画された複数の番組の中からユーザが所望の番組を選択するための複数の選択画面を生成する。制御部は、再生部およびユーザインターフェース生成部を制御する。ユーザインターフェース生成部が生成する選択画面の各々は、それぞれが互いに異なる分類方法で分類された複数の番組情報を配列して表示する。再生部は、１つの選択画面上で１つの番組情報が選択されたときに、選択された番組情報に関連する番組を再生する。制御部は、再生部が番組を再生しているときにユーザ入力部が所定のユーザコマンドを受信した場合は、ユーザが番組情報を選択するための画像であって再生中の番組の映像の周囲に表示されるユーザインターフェース画像を生成するように、ユーザインターフェース生成部を制御する。ユーザインターフェース画像は、再生中の番組が選択されたときに用いられた選択画面の分類方法に準ずる分類方法を用いて分類された番組情報または分類種別を示す領域を有する。
【０２８３】
また、本実施の形態において、番組情報の表示方法は、録画再生装置における番組情報の表示方法であって、ユーザコマンドを受け付けるステップと、複数の番組およびそれらの番組の番組情報を受信するステップと、受信された複数の番組および番組情報を記録媒体に録画するステップと、録画された複数の番組の中からユーザが所望の番組を選択するための画面であって、それぞれが互いに異なる分類方法で分類された複数の番組情報が配列されて表示される複数の選択画面のうちの１つが生成されるステップと、１つの選択画面上で１つの番組情報が選択されたときに、選択された番組情報に関連する番組が再生されるステップと、番組が再生されているときに所定のユーザコマンドが受信された場合に、ユーザが番組情報を選択するための画像であって再生中の番組の映像の周囲に表示されるユーザインターフェース画像が生成されるステップと、を備え、ユーザインターフェース画像は、再生中の番組が選択されたときに用いられた選択画面の分類方法に準ずる分類方法を用いて分類された番組情報または分類種別を示す領域を有する。
【０２８４】
なお、録画再生装置１は録画再生装置の一例である。ＲＣ受信機３２はユーザ入力部の一例である。チューナ１１〜１３およびチューナ２１〜２６は、それぞれが受信部の一例である。通常録画回路１４およびチャンネル録画回路２７は、それぞれが録画部の一例である。番組再生回路３５は再生部の一例である。ＵＩ生成回路３６はユーザインターフェース生成部の一例である。制御回路３１は制御部の一例である。記憶装置１５および記憶装置２８は、それぞれが記録媒体の一例である。図４に示したチャンネル録画一覧の第１の番組選択メニューの画面１００、図９に示した通常録画一覧の第１の番組選択メニューの画面２００、および図１４〜図１６に示したカテゴリ一覧の第１の番組選択メニューの画面３００、３１０、３２０は、複数の選択画面の一例である。リモートコントローラ２の上／下／左／右キーの押下は、所定のユーザコマンドの一例である。図２１に示したチャンネル録画一覧の第３の番組選択メニューの画面４００、および図２２〜図２４に示したカテゴリ一覧の第３の番組選択メニューの画面４１０、４２０、４３０は、それぞれがユーザインターフェース画像の一例である。図２１に示すボタン４０４、４０５、図２３に示すボタン４２４、４２５、および図２４に示すボタン４３４、４３５は、それぞれが分類種別を示す領域の一例である。
【０２８５】
例えば、実施の形態１に示した例では、録画再生装置１は、ＲＣ受信機３２と、チューナ１１〜１３およびチューナ２１〜２６と、通常録画回路１４およびチャンネル録画回路２７と、番組再生回路３５と、ＵＩ生成回路３６と、制御回路３１と、を備える。ＲＣ受信機３２は、リモートコントローラ２から送信されてくるユーザコマンドを受け付ける。チューナ１１〜１３およびチューナ２１〜２６は、複数の番組およびそれらの番組の番組情報を受信する。通常録画回路１４は、受信された複数の番組および番組情報を記憶装置１５に録画する。チャンネル録画回路２７は、受信された複数の番組および番組情報を記憶装置２８に録画する。番組再生回路３５は、録画された番組を再生する。ＵＩ生成回路３６は、録画された複数の番組の中からユーザが所望の番組を選択するための複数の選択画面（例えば、図４に示したチャンネル録画一覧の第１の番組選択メニューの画面１００、図９に示した通常録画一覧の第１の番組選択メニューの画面２００、および図１４〜図１６に示したカテゴリ一覧の第１の番組選択メニューの画面３００、３１０、３２０）を生成する。制御回路３１は、番組再生回路３５およびＵＩ生成回路３６を制御する。ＵＩ生成回路３６が生成する選択画面の各々は、それぞれが互いに異なる分類方法で分類された複数の番組情報を配列して表示する。番組再生回路３５は、１つの選択画面上で１つの番組情報が選択されたときに、選択された番組情報に関連する番組を再生する。制御回路３１は、番組再生回路３５が番組を再生しているときにＲＣ受信機３２が所定のユーザコマンド（例えば、リモートコントローラ２の上／下／左／右キーのうちの１つが押下されることで発生するユーザコマンド）を受信した場合は、ユーザが番組情報を選択するための画像であって再生中の番組の映像の周囲に表示されるユーザインターフェース画像（例えば、図２１に示したチャンネル録画一覧の第３の番組選択メニューの画面４００、または図２２〜図２４に示したカテゴリ一覧の第３の番組選択メニューの画面４１０、４２０、４３０）を生成するように、ＵＩ生成回路３６を制御する。ユーザインターフェース画像は、再生中の番組が選択されたときに用いられた選択画面の分類方法に準ずる分類方法を用いて分類された番組情報または分類種別を示す領域（例えば、図２１に示すボタン４０４、４０５、図２３に示すボタン４２４、４２５、または図２４に示すボタン４３４、４３５を表示する。
【０２８６】
ユーザインターフェース画像は、再生中の番組の映像の周囲に表示される番組を示す領域が、選択画面で再生中の番組の番組情報に隣接して配列された番組情報に対応してもよい。
【０２８７】
例えば、実施の形態１に示した例では、図２１に示すチャンネル録画一覧の第３の番組選択メニューの画面４００におけるボタン４０２〜４０５は、図４に示したチャンネル録画一覧の第１の番組選択メニューの画面１００における番組情報の配列に対応する。あるいは、図２２に示すカテゴリ一覧の第３の番組選択メニューの画面４１０におけるボタン４１２、４１３は、図２０に示したカテゴリ一覧の第２の番組選択メニューの画面３６０における番組情報の配列に対応する。あるいは、図２３に示すカテゴリ一覧の第３の番組選択メニューの画面４２０におけるボタン４２４、４２５、および図２４に示すカテゴリ一覧の第３の番組選択メニューの画面４３０におけるボタン４３４、４３５は、図１５に示したカテゴリ一覧の第１の番組選択メニューの画面３１０におけるジャンルを示すボタンの配列、または、図１９に示したカテゴリ一覧の第２の番組選択メニューの画面３５０におけるジャンルを示すアイコンの配列に対応する。
【０２８８】
制御部は、再生中の番組の映像の周囲に表示されるユーザインターフェース画像を選択するユーザコマンドを受信した場合、選択された番組情報または分類種別を示す領域に属する録画された番組を、再生中の番組の映像に代えて表示してもよい。
【０２８９】
例えば、実施の形態１に示した例では、録画再生装置１の制御回路３１は、番組再生回路３５が録画された番組を再生しているときに、例えば、再生中の番組の映像の周囲に表示されるユーザインターフェース画像の一例である、図２１に示すカテゴリ一覧の第３の番組選択メニューの画面４００におけるボタン４０２を選択するユーザコマンドを受け取った場合は、再生中の番組の映像に代えて、ボタン４０２に表示された番組情報に対応する番組（例えば、記憶装置２８に録画された番組）を番組再生回路３５で再生してディスプレイ４に表示するように、各回路を制御する。
【０２９０】
ユーザインターフェース画像は、再生中の番組が選択されたときに用いられた選択画面の分類方法の分類種別を示す領域を表示してもよい。
【０２９１】
なお、リモートコントローラ２の上キーの押下は、所定のユーザコマンドの一例である。図７に示したチャンネル録画一覧の第２の番組選択メニューの画面１３０、図１２に示した通常録画一覧の第２の番組選択メニューの画面２３０、および図１９に示したカテゴリ一覧の第２の番組選択メニューの画面３５０は、それぞれがユーザインターフェース画像の一例である。
【０２９２】
例えば、実施の形態１に示した例では、録画再生装置１において、制御回路３１は、番組再生回路３５が番組を再生しているときにＲＣ受信機３２が所定のユーザコマンド（例えば、リモートコントローラ２の上キーが押下されることで発生するユーザコマンド）を受信した場合は、ユーザが番組情報を選択するための画像であって再生中の番組の映像に部分的に重畳して表示されるユーザインターフェース画像（例えば、図７に示したチャンネル録画一覧の第２の番組選択メニューの画面１３０、図１２に示した通常録画一覧の第２の番組選択メニューの画面２３０、または図１９に示したカテゴリ一覧の第２の番組選択メニューの画面３５０）を生成するように、ＵＩ生成回路３６を制御する。ユーザインターフェース画像は、再生中の番組が選択されたときに用いられた選択画面の分類方法の分類種別を示す領域を表示する。
【０２９３】
録画再生装置において、制御部は、再生部が再生している番組が属する分類種別の領域を強調して表示してもよい。
【０２９４】
例えば、実施の形態１に示した例では、録画再生装置１において、制御回路３１は、番組再生回路３５が再生している番組が属する分類種別の領域を強調して表示する。
【０２９５】
ユーザインターフェース画像の分類種別を示す領域は、アイコンまたはタグで表示されてもよい。
【０２９６】
本実施の形態の録画再生装置において、制御部は、１つの選択画面から選択されて再生されている番組の再生が停止されたときに、その１つの選択画面が表示されるようにユーザインターフェース生成部を制御してもよい。
【０２９７】
例えば、実施の形態１に示す例では、録画再生装置１において、制御回路３１は、１つの選択画面から選択されて再生されている番組の再生が停止されたときに、その１つの選択画面が表示されるようにＵＩ生成回路３６を制御する。
【０２９８】
本実施の形態の録画再生装置において、録画部は、ユーザにより指定された個別の番組を録画する第１の録画機能と、所定のチャンネル群で放送される複数の番組を連続して録画する第２の録画機能と、を有してもよい。選択画面は、第１の録画機能により録画された複数の番組の中からユーザが所望の番組を選択するための第１の選択画面と、第２の録画機能により録画された複数の番組の中からユーザが所望の番組を選択するための第２の選択画面と、を含んでもよい。
【０２９９】
なお、通常録画機能は第１の録画機能の一例である。チャンネル録画機能は第２の録画機能の一例である。所定のチャンネル群は、ユーザ等によりあらかじめ設定された複数のチャンネルであり、図４に示したチャンネルＣＨ１〜ＣＨ６は、所定のチャンネル群の一例である。通常録画一覧は第１の選択画面の一例である。チャンネル録画一覧は第２の選択画面の一例である。
【０３００】
例えば、実施の形態１に示した例では、録画再生装置１において、通常録画回路１４は、ユーザにより指定された個別の番組を録画する通常録画機能を有し、チャンネル録画回路２７は、所定のチャンネル群（例えば、チャンネルＣＨ１〜ＣＨ６）で放送される複数の番組を連続して録画するチャンネル録画機能を有する。選択画面は、通常録画機能により録画された複数の番組の中からユーザが所望の番組を選択するための通常録画一覧と、チャンネル録画機能により録画された複数の番組の中からユーザが所望の番組を選択するためのチャンネル録画一覧と、を含む。
【０３０１】
実施の形態１に示した例では、放送された複数の番組を録画して再生する録画再生装置１が開示される。録画再生装置１は、記憶装置１５、２８と、少なくとも１つのチューナ１１〜１３、２１〜２６と、通常録画回路１４と、チャンネル録画回路２７と、番組再生回路３５と、ＵＩ生成回路３６と、画面重畳回路３７と、ＲＣ受信機３２と、制御回路３１と、を備える。
【０３０２】
少なくとも１つのチューナ１１〜１３、２１〜２６は、放送された複数の番組とそれらの番組の番組情報とを受信する。通常録画回路１４は、チューナ１１〜１３の少なくとも１つにより受信された複数の番組とそれらの番組の番組情報とを記憶装置１５に録画する。チャンネル録画回路２７は、チューナ２１〜２６の少なくとも１つにより受信された複数の番組とそれらの番組の番組情報とを記憶装置２８に録画する。番組再生回路３５は、記憶装置１５、２８に録画された複数の番組のうちの１つを再生する。
【０３０３】
ＵＩ生成回路３６は、記憶装置１５、２８に録画された複数の番組のうちの１つをユーザが選択できるようにするための複数のユーザインターフェース画像（ＵＩ画像）を生成する。画面重畳回路３７は、再生された番組の映像信号およびＵＩ画像に基づいて、出力映像信号を生成する。
【０３０４】
ＲＣ受信機３２は、リモートコントローラ２からユーザコマンドを取得する。制御回路３１は、ユーザコマンドに基づいて、通常録画回路１４、チャンネル録画回路２７、番組再生回路３５、およびＵＩ生成回路３６、を制御する。
【０３０５】
ＵＩ生成回路３６は、記憶装置１５、２８に録画された複数の番組の番組情報が、複数の分類方法で分類されて配列された複数ペアの番組選択メニューのＵＩ画像を生成する。各番組選択メニューは、それぞれが第１の番組選択メニューおよび第２の番組選択メニューを有する。第１の番組選択メニューおよび第２の番組選択メニューのそれぞれは、互いに同じ分類方法で分類された複数の番組情報の複数の配列を含む。録画再生装置１では、第１の番組選択メニューは、録画された番組が再生されていないときに表示され、第２の番組選択メニューは、録画された番組が再生されているときに、再生中の番組の映像に部分的に重畳して表示される。
【０３０６】
制御回路３１は、録画された番組が再生されている状態において、第２の番組選択メニューの呼び出しを指示するユーザコマンドが入力されたときには、再生中の番組が選択されたときに用いられた番組選択メニューに準ずる分類方法による第２の番組選択メニューを、再生中の番組の映像に部分的に重畳して表示させる。
【０３０７】
本実施の形態における録画再生装置１では、第２の番組選択メニューは、複数のタブメニューと、各タブメニューに対応する複数の詳細メニューと、を含む。制御回路３１は、第２の番組選択メニューの呼び出しを指示するユーザコマンドが入力されたときに、複数のタブメニューを表示させる。制御回路３１は、複数のタブメニューのうちの１つを選択するユーザコマンドが入力されたときに、選択された１つのタブメニューに対応する詳細メニューを表示させる。録画再生装置１では、複数のタブメニューのうちの第１のタブメニューを選択するユーザコマンドが入力されたとき、第１のタブメニューに対応する複数の詳細メニューのうちの第１の詳細メニューは、複数の配列を示す複数のアイコンを含む。録画再生装置１では、複数のタブメニューのうちの第２のタブメニューを選択するユーザコマンドが入力されたとき、第２のタブメニューに対応する複数の詳細メニューのうちの第２の詳細メニューは、再生中の番組が属する配列を含む。
【０３０８】
本実施の形態における録画再生装置１では、制御回路３１は、第１のタブメニューを選択するユーザコマンドが入力されたときに、第１の詳細メニューにおいて、再生中の番組が属する配列のアイコンを強調表示させる。制御回路３１は、第２のタブメニューを選択するユーザコマンドが入力されたときに、第２の詳細メニューにおいて、再生中の番組を強調表示させる。
【０３０９】
本実施の形態における録画再生装置１では、制御回路３１は、第２の番組選択メニューが表示されている状態において、表示中の第２の番組選択メニューとは異なる分類方法による他の第２の番組選択メニューの表示を指示するユーザコマンドが入力されたときには、他の第２の番組選択メニューを表示させる。
【０３１０】
本実施の形態における録画再生装置１では、制御回路３１は、録画された番組の再生が終了したときに、再生が終了した番組が選択されたときに用いられた番組選択メニューと同じ分類方法による第１の番組選択メニューを表示させる。
【０３１１】
本実施の形態における録画再生装置１では、制御回路３１は、第１の番組選択メニューにおいて、再生が終了した番組を強調表示する。
【０３１２】
本実施の形態における録画再生装置１では、ＵＩ生成回路３６は、録画された番組が再生されているときに表示される第３の番組選択メニューのＵＩ画像をさらに生成する。録画再生装置１では、第３の番組選択メニューは、複数の分類方法のうちの少なくとも１つで分類された複数の番組の複数の配列において、再生中の番組の番組情報に隣接する少なくとも１つの番組情報を含む。制御回路３１は、録画された番組が再生されている状態において、第３の番組選択メニューの呼び出しを指示するユーザコマンドが入力されたときには、再生中の番組が選択されたときに用いられた番組選択メニューと同じ分類方法による第３の番組選択メニューを表示させる。
【０３１３】
本実施の形態における録画再生装置１では、チューナ２１〜２６は、複数のチャンネルで放送される複数の番組およびそれらの番組の番組情報を受信し、複数の分類方法のうちの１つにおいて、複数の番組情報は、複数のチャンネルにそれぞれ対応する複数の配列に分類される。
【０３１４】
本実施の形態における録画再生装置１では、複数の分類方法のうちの１つにおいて、複数の番組は、複数のカテゴリにそれぞれ対応する複数の配列に分類される。
【０３１５】
本実施の形態における録画再生装置１では、通常録画回路１４は、ユーザに選択された複数の番組を複数の第１の番組として記憶装置１５に録画し、チャンネル録画回路２７は、あらかじめ決められた少なくとも１つのチャンネルで放送される複数の番組を複数の第２の番組として記憶装置２８に録画する。録画再生装置１では、複数の分類方法のうちの第１の分類方法により、録画された複数の第１の番組が複数の配列に分類され、複数の分類方法のうちの第２の分類方法により、録画された複数の第２の番組が複数の配列に分類される。
【０３１６】
これにより、本実施の形態における録画再生装置１では、ユーザは、録画された複数の番組の中から所望の番組を、相対的に少ない手間で選択して再生することができる。また、本実施の形態における録画再生装置１では、録画された番組が再生されているときには、第３の番組選択メニューが表示されることにより、第１の番組選択メニューを表示するために番組の再生を停止する必要がなくなる。そのため、ユーザは、ザッピングにより、他の番組を、相対的に少ない手間で選択して再生することができる。
【０３１７】
本実施の形態における録画再生装置１では、例えば、通常録画部１０によって録画された番組をユーザが選択するために、複数の番組を時系列に配列した形式を有する通常録画一覧が使用される。また、録画再生装置１では、チャンネル録画部２０によって録画された番組をユーザが選択するために、複数の番組をチャンネルおよび時間により２次元的に配列した番組表の形式を有するチャンネル録画一覧と、複数の番組をカテゴリにより分類して配列した形式を有するカテゴリ一覧と、が使用される。
【０３１８】
本実施の形態における録画再生装置１では、制御回路３１は、チャンネル録画一覧、通常録画一覧、およびカテゴリ一覧のそれぞれについて、第１の番組選択メニューおよび第２の番組選択メニューを互いに関連付けて表示させる。
【０３１９】
本実施の形態における録画再生装置１では、制御回路３１は、チャンネル録画一覧、通常録画一覧、およびカテゴリ一覧のそれぞれについて、第１の番組選択メニューおよび第２の番組選択メニューの、内容、表示する番組選択メニューのページ、および強調表示する位置、を制御する。
【０３２０】
本実施の形態における録画再生装置１では、例えば、チャンネル録画一覧の第１の番組選択メニューを用いて選択された番組が再生されている状態において、第２の番組選択メニューの呼び出しを指示するユーザコマンドが入力されたとき、チャンネル録画一覧の第２の番組選択メニューが表示される。また、録画再生装置１では、チャンネル録画一覧の第２の番組選択メニューを用いて選択された番組が再生され、その番組の再生が停止されたとき、チャンネル録画一覧の第１の番組選択メニューが表示される。また、録画再生装置１では、チャンネル録画一覧の番組選択メニューを用いて選択された番組が再生されている状態において、リモートコントローラ２のカーソルキー５１が押下されたとき、チャンネル録画一覧の複数の配列において再生中の番組の番組情報に隣接する番組情報を含む、チャンネル録画一覧の第３の番組選択メニューが表示される。
【０３２１】
録画再生装置１では、チャンネル録画一覧の第３の番組選択メニューが表示されているとき、ユーザは、カーソルキー５１の上キーまたは下キーを押下することにより、再生中の番組の時間的に前後の番組の番組情報を選択し、カーソルキー５１の左キーまたは右キーを押下することにより、再生中の番組のチャンネルの左右に隣接するチャンネルを選択することができる。
【０３２２】
録画再生装置１では、カテゴリ一覧の番組選択メニューを用いて選択された番組が再生されている状態において、リモートコントローラ２のカーソルキー５１が押下されたとき、カテゴリ一覧の複数の配列において再生中の番組の番組情報に隣接する番組情報を含む、カテゴリ一覧の第３の番組選択メニューが表示される。録画再生装置１では、カテゴリ一覧の第３の番組選択メニューが表示されているとき、ユーザは、カーソルキー５１の上キーまたは下キーを押下することにより、再生中の番組の番組情報の前後の番組情報を選択することができる。
【０３２３】
（他の実施形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【０３２４】
そこで、以下、他の実施の形態を例示する。
【０３２５】
実施の形態１では、通常録画回路１４、チャンネル録画回路２７、制御回路３１、番組ＤＢ生成回路３４、番組再生回路３５、ＵＩ生成回路３６、および画面重畳回路３７、を別個のブロックとして示したが、これらの一部または全部が単一のブロックとして構成されてもよい。また、これらのブロックはハードウェアによって実現されてもよく、プロセッサ上で実行されるソフトウェアによって実現されてもよい。
【０３２６】
実施の形態１において、番組選択メニューの例として図面に示した番組情報の配列およびチャンネルの配列等は、単なる一例を挙げたものに過ぎない。番組選択メニューに表示される番組情報およびチャンネル等は、放送信号の受信状況や放送番組等に応じて適切に設定されればよい。
【０３２７】
以上のように、本開示における技術の例示として、実施の形態を説明した。そのために、添付図面および詳細な説明を提供した。
【０３２８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０３２９】
また、上述の実施の形態は、本開示における技術を例示するためのものであるから、特許請求の範囲またはその均等の範囲において種々の変更、置き換え、付加、省略などを行うことができる。
【産業上の利用可能性】
【０３３０】
本開示は、大容量の記憶装置を備えた録画再生装置に適用可能である。具体的には、ビデオレコーダなどの録画再生装置、録画再生機能を有するテレビジョン受信機等の映像受信装置、等に、本開示は適用可能である。
【符号の説明】
【０３３１】
１    録画再生装置
２    リモートコントローラ
３    番組情報サーバ装置
４    ディスプレイ
１０    通常録画部
１１，１２，１３    チューナ
１４    通常録画回路
１５    記憶装置
２０    チャンネル録画部
２１，２２，２３，２４，２５，２６    チューナ
２７    チャンネル録画回路
２８    記憶装置
３１    制御回路
３２    ＲＣ受信機
３３    通信回路
３４    番組ＤＢ生成回路
３５    番組再生回路
３６    ＵＩ生成回路
３７    画面重畳回路
４０    画面
５１    カーソルキー
５２    決定キー
５３    チャンネル録画一覧キー
５４    通常録画一覧キー
５５    カテゴリ一覧キー
５６    再生メニューキー
５７    モーションキー
５８    停止キー
１００，１１０，１２０，１３０，１４０，２００，２１０，２２０，２３０，２４０，３００，３１０，３２０，３３０，３４０，３５０，３６０，４００，４１０，４２０，４３０    画面
１０１    番組表エリア
１０２    説明文エリア
１０３，１３２，１４２，２０２，２０４，２３２，２４２，３０４，３５５，３６２，４０６，４１４，４２６，４３６    カーソル
１２１，１２２，１２３，１２４，２２１，２２２，２２３，２２４，３４１，３４２，３４３，３４４    タブメニュー
１３１，１４１，２３１，２４１，３５１，３６１    詳細メニュー
１３３，２３３，３０５，３１１，３１２，３１３，３１４，３１５，３１６，３２１，３５６，３５７，４０１，４０２，４０３，４０４，４０５，４１１，４１２，４１３，４２１，４２２，４２３，４２４，４２５，４３１，４３２，４３３，４３４，４３５    ボタン
２０１    タグ
２０３    番組リスト
３０１    履歴エリア
３０２    ランキングエリア
３０３    ニュースエリア
３５２    情報エリア
３５３    ジャンルエリア
３５４    お気に入りエリア
３５８ａ，３５８ｂ，３５８ｃ，３５８ｄ    アイコン
ＡＮＴ    アンテナ
【図１】
2016157860.tif 000003
【図２】
2016157860.tif 000004
【図３】
2016157860.tif 000005
【図４】
2016157860.tif 000006
【図５】
2016157860.tif 000007
【図６】
2016157860.tif 000008
【図７】
2016157860.tif 000009
【図８】
2016157860.tif 000010
【図９】
2016157860.tif 000011
【図１０】
2016157860.tif 000012
【図１１】
2016157860.tif 000013
【図１２】
2016157860.tif 000014
【図１３】
2016157860.tif 000015
【図１４】
2016157860.tif 000016
【図１５】
2016157860.tif 000017
【図１６】
2016157860.tif 000018
【図１７】
2016157860.tif 000019
【図１８】
2016157860.tif 000020
【図１９】
2016157860.tif 000021
【図２０】
2016157860.tif 000022
【図２１】
2016157860.tif 000023
【図２２】
2016157860.tif 000024
【図２３】
2016157860.tif 000025
【図２４】
2016157860.tif 000026
【図２５】
2016157860.tif 000027
【図２６】
2016157860.tif 000028
【図２７】
2016157860.tif 000029
【図２８】
2016157860.tif 000030
【図２９】
2016157860.tif 000031
【図３０】
2016157860.tif 000032
【図３１】
2016157860.tif 000033
【国際調査報告】
2016157860.tif 000034
2016157860.tif 000035
2016157860.tif 000036
2016157860.tif 000037